(57)【特許請求の範囲】
【請求項１】
記憶媒体に記録された画像データと、携帯端末装置を個別に識別する識別情報であって、前記画像データに関連付けて前記記憶媒体に記録された第１識別情報とを読み込む読込手段と、
前記携帯端末装置を個別に識別する識別情報であって、複数の携帯端末装置との間で送受信して一以上の外部の前記携帯端末装置により送信される第２識別情報を取得する識別情報取得手段と、
前記識別情報取得手段による前記第２識別情報の取得に応じて前記読込手段を制御し、前記識別情報取得手段により取得された前記第２識別情報の何れかに対応する第１識別情報が関連付けられた前記画像データを一つの表示器に表示させる画像の画像データとして選択して前記記憶媒体から読み込ませる画像選択手段と、
被写体像を撮像して画像データを生成する撮像手段と、
前記撮像手段により生成された前記画像データから人物の顔に対応する顔画像データを検出する顔検出手段と、
記録制御手段とを備え、
前記画像選択手段は、前記読込手段により読み込まれた画像データの画像を前記表示器に表示させ、
前記識別情報取得手段は、前記撮像手段による撮像に連動して前記携帯端末装置から前記第２識別情報を取得するものであり、
前記記録制御手段は、前記顔検出手段により前記顔画像データが検出された場合に、前記撮像に連動して取得された前記第２識別情報を前記画像データに関連付けて、前記第１識別情報として記録することを特徴とする画像表示装置。
【請求項２】
記憶媒体に記録された画像データと、携帯端末装置を個別に識別する識別情報であって、前記画像データに関連付けて前記記憶媒体に記録された第１識別情報とを読み込む読込手段と、
前記携帯端末装置を個別に識別する識別情報であって、複数の携帯端末装置との間で送受信して一以上の外部の前記携帯端末装置により送信される第２識別情報を取得する識別情報取得手段と、
前記識別情報取得手段による前記第２識別情報の取得に応じて前記読込手段を制御し、前記識別情報取得手段により取得された前記第２識別情報の何れかに対応する第１識別情報が関連付けられた前記画像データを、一つの表示器に表示させる画像の画像データとして選択して前記記憶媒体から読み込ませる画像選択手段と、
前記画像データから人物の顔に対応する顔画像データを検出する顔検出手段とを備え、
前記画像選択手段は、前記顔検出手段により前記顔画像データが検出された前記画像データのみを選択し、前記読込手段により読み込まれた画像データの画像を前記表示器に表示させることを特徴とする画像表示装置。
【請求項３】
記憶媒体に記録された画像データと、携帯端末装置を個別に識別する識別情報であって、前記画像データに関連付けて前記記憶媒体に記録された第１識別情報とを読み込む読込手段と、
前記携帯端末装置を個別に識別する識別情報であって、複数の携帯端末装置との間で送受信して一以上の外部の前記携帯端末装置により送信される第２識別情報を取得する識別情報取得手段と、
前記識別情報取得手段による前記第２識別情報の取得に応じて前記読込手段を制御し、前記識別情報取得手段により取得された前記第２識別情報のうち特定の第２識別情報に一致する第１識別情報が関連付けられた前記画像データを、一つの表示器に表示させる画像の画像データとして選択して前記記憶媒体から読み込ませる画像選択手段と、
前記特定の第２識別情報を選択するための選択画面を前記表示器に表示する第１表示制御手段と、
前記第１表示制御手段により前記表示器に表示された前記選択画面上で複数の前記第２識別情報の何れかを選択する選択操作を受け付ける第１受付手段と、
前記第１受付手段の操作により選択された前記第２識別情報を前記特定の第２識別情報として設定する識別情報設定手段とをさらに備えることを特徴とする画像表示装置。
【請求項４】
請求項３に記載の画像表示装置において、
前記第１表示制御手段は、前記識別情報取得手段により取得された前記第２識別情報に基づいて、前記選択画面を前記表示器に表示することを特徴とする画像表示装置。
【請求項５】
記憶媒体に記録された画像データと、携帯端末装置を個別に識別する識別情報であって、前記画像データに関連付けて前記記憶媒体に記録された第１識別情報とを読み込む読込手段と、
前記携帯端末装置を個別に識別する識別情報であって、複数の携帯端末装置との間で送受信して一以上の外部の前記携帯端末装置により送信される第２識別情報を取得する識別情報取得手段と、
前記識別情報取得手段による前記第２識別情報の取得に応じて前記読込手段を制御し、前記識別情報取得手段により取得された前記第２識別情報の何れかに一致する前記第１識別情報と関連付けされた前記画像データから、特定の第１識別情報に関連付けされた前記画像データを除外して、前記画像データを選択し、一つの表示器に表示させる画像の画像データとして前記記憶媒体から読み込ませる画像選択手段と、
前記特定の第１識別情報を選択するための選択画面を前記表示器に表示する第２表示制御手段と、
前記第２表示制御手段により前記表示器に表示された前記選択画面上で、複数の前記第１識別情報の何れかを選択する選択操作を受け付ける第２受付手段と、
前記第２受付手段により受け付けられた前記第１識別情報を前記特定の第１識別情報として設定する第２識別情報設定手段とを備えることを特徴とする画像表示装置。
【請求項６】
請求項５に記載の画像表示装置において、
所定条件を満たす前記第１識別情報を前記特定の第１識別情報として設定する第３識別情報設定手段をさらに備えることを特徴とする画像表示装置。
【請求項７】
請求項５に記載の画像表示装置において、
前記第２表示制御手段は、前記読込手段により読み込まれた画像データに関連付けされた前記第１識別情報に基づいて、前記選択画面を前記表示器に表示することを特徴とする画像表示装置。
【請求項８】
請求項２乃至７の何れか一項に記載の画像表示装置において、
被写体像を撮像して画像データを生成する撮像手段と、
記録制御手段とをさらに備え、
前記識別情報取得手段は、前記撮像手段による撮像に連動して前記携帯端末装置から前記第２識別情報を取得するものであり、
前記記録制御手段は、前記撮像に連動して取得された前記第２識別情報を、前記撮像手段により生成された前記画像データに関連付けて、前記第１識別情報として前記記憶媒体に記録することを特徴とする画像表示装置。
【請求項９】
請求項８に記載の画像表示装置において、
前記撮像手段により生成された前記画像データに対応する画像を再生表示する表示器をさらに備え、
前記識別情報取得手段は、前記被写体像の方向に対して指向性を有し、前記撮像に連動して前記第２識別情報を取得するための第１アンテナと、前記表示器の再生表示方向に指向性を有し前記再生表示時に前記第２識別情報を取得するための第２アンテナとを含むことを特徴とする画像表示装置。
【請求項１０】
請求項８または９に記載の画像表示装置において、
前記識別情報取得手段は、前記撮像手段による撮像に連動して、前記携帯端末装置の種類を識別するための装置種類識別情報をさらに取得し、
前記記録制御手段は、前記識別情報取得手段により取得された前記装置種類識別情報のうち特定の前記装置種類識別情報に対応する前記識別情報を前記第１識別情報として前記画像データに関連付けて前記記憶媒体に記録し、前記特定の装置種類識別情報以外の前記装置種類識別情報に対応する前記識別情報を前記画像データに関連付けて前記記憶媒体に記録することを禁止することを特徴とする画像表示装置。
【請求項１１】
請求項８乃至１０の何れか一項に記載の画像表示装置において、
前記識別情報取得手段は、前記第２識別情報を含む信号を取得した際の前記信号の受信信号強度を検出し、
前記記録制御手段は、前記撮像に連動して前記識別情報取得手段により取得された前記第２識別情報のうち、前記検出された前記受信信号強度がしきい値よりも強い前記信号に含まれる前記第２識別情報を、前記撮像手段により生成された前記画像データに関連付けて、前記第１識別情報として記録することを特徴とする画像表示装置。
【請求項１２】
請求項１１に記載の画像表示装置において、
前記しきい値を指定する指定操作を受け付ける第３受付手段をさらに備えることを特徴とする画像表示装置。
【請求項１３】
請求項８乃至１２の何れか一項に記載の画像表示装置において、
前記識別情報取得手段は、所定の周期で前記第２識別情報を取得し、
前記記録制御手段は、前記被写体像の撮像が指示される前に前記識別情報取得手段により既に取得された前記第２識別情報を前記撮像手段により生成された前記画像データに関連付けて、前記第１識別情報として記録することを特徴とする画像表示装置。
【請求項１４】
請求項８乃至１３の何れか一項に記載の画像表示装置において、
前記識別情報取得手段は、前記被写体像の撮像の指示に応じて前記第２識別情報を取得し、
前記記録制御手段は、前記撮像の指示に応じて前記識別情報取得手段により取得された前記第２識別情報を前記撮像手段により生成された前記画像データに関連付けて、前記第１識別情報として記録することを特徴とする画像表示装置。
【請求項１５】
請求項１０に記載の画像表示装置において、
前記装置種類識別情報を選択する選択操作を受け付ける第４受付手段と、
前記選択操作により選択された前記装置種類識別情報を前記特定の装置種類識別情報として設定する装置情報設定手段とを備えることを特徴とする画像表示装置。
【請求項１６】
請求項１乃至５の何れか一項に記載の画像表示装置において、
前記読込手段は、前記画像データに関連付けされた情報であって、前記携帯端末装置の
種類を識別するための装置種類識別情報をさらに読み込み、
前記画像選択手段は、特定の前記装置種類識別情報が関連付けされた画像データであって、前記識別情報取得手段により取得された前記第２識別情報の何れかに一致する前記第１識別情報が関連付けされた前記画像データを選択することを特徴とする画像表示装置。
【請求項１７】
請求項１乃至５の何れか一項に記載の画像表示装置において、
前記読込手段は、前記画像データに関連付けされた情報であって、前記第１識別情報を含む信号が取得されたときの前記信号の受信信号強度に関する情報をさらに読み込み、
前記画像選択手段は、前記受信信号強度がしきい値よりも高い信号の前記受信信号強度に関する情報と関連付けされた前記画像データであって、前記識別情報取得手段により取得された前記第２識別情報に一致する前記第１識別情報が関連付けされた前記画像データを選択することを特徴とする画像表示装置。
【請求項１８】
請求項１乃至５の何れか一項に記載の画像表示装置において、
前記識別情報取得手段は、前記第２識別情報を含む信号を取得した際の前記信号の受信信号強度を検出し、
前記画像選択手段は、前記識別情報取得手段により取得された前記第２識別情報のうち、前記検出された受信信号強度が最も強い信号に含まれる前記第２識別情報に一致する前記第１識別情報と関連付けされた前記画像データを選択することを特徴とする画像表示装置。
【請求項１９】
請求項１乃至５の何れか一項に記載の画像表示装置において、
前記識別情報取得手段は、前記第２識別情報を含む信号を取得した際の前記信号の受信信号強度を検出し、
前記画像選択手段は、前記識別情報取得手段により取得された前記第２識別情報のうち、前記検出された前記受信信号強度が所定の強度よりも強い信号に含まれる前記第２識別情報に一致する前記第１識別情報と関連付けされた前記画像データを選択することを特徴とする画像表示装置。
【請求項２０】
請求項１乃至５の何れか一項に記載の画像表示装置において、
前記識別情報取得手段は、所定の周期ごとに前記携帯端末装置から前記第２識別情報を取得し、
前記識別情報取得手段により新たに取得された前記第２識別情報が以前に取得された前記第２識別情報から変化した場合には、前記画像選択手段は、前記識別情報取得手段により前記新たに取得された前記第２識別情報に一致する前記第１識別情報と関連付けされた前記画像データを以前に選択した前記画像データに代えて選択することを特徴とする画像表示装置。
【請求項２１】
請求項１乃至５の何れか一項に記載の画像表示装置において、
前記携帯端末装置の前記第２識別情報の取得を指示する取得指示操作を受け付ける第５受付手段をさらに備え、
前記識別情報取得手段は、前記第５受付手段により受け付けられた前記取得指示操作に応じて前記第２識別情報を取得し、
前記画像選択手段は、前記取得指示操作に応じて前記識別情報取得手段により取得され
た前記第２識別情報に一致する前記第１識別情報と関連付けされた前記画像データを選択することを特徴とする画像表示装置。
【請求項２２】
請求項３または４に記載の画像表示装置において、
所定条件を満たす前記第２識別情報を前記特定の第２識別情報として設定する識別情報設定手段をさらに備えることを特徴とする画像表示装置。
【発明の詳細な説明】
【技術分野】
【０００１】
本発明は、画像表示装置に関する。
【背景技術】
【０００２】
従来から、携帯電話の識別情報を受信し、携帯電話の識別情報に基づいて画像データの識別情報を生成し、画像サーバにアップロードするカメラが知られている。そして、画像サーバにアクセスする際に、携帯電話の識別情報が携帯電話により画像サーバに伝えられると、携帯電話の識別情報に関連した識別情報を持つ画像データを携帯電話に送信する画像サーバが知られている（たとえば特許文献１）。
【先行技術文献】
【特許文献】
【０００３】
【特許文献１】特許第４１１４３５０号
【発明の概要】
【発明が解決しようとする課題】
【０００４】
しかしながら、従来技術による画像サーバは、単にアクセスした携帯電話に対して携帯電話の識別情報に関連する画像データを送信するに過ぎない。そのため、画像表示装置の周囲に居る複数の人物がそれぞれ携帯電話を所持している場合に、この複数の人物に合わせて関連する画像を選択して一つの画面に表示させることができないという問題がある。
【課題を解決するための手段】
【０００５】
請求項１に記載の発明による画像表示装置は、記憶媒体に記録された画像データと、携帯端末装置を個別に識別する識別情報であって、画像データに関連付けて記憶媒体に記録された第１識別情報とを読み込む読込手段と、携帯端末装置を個別に識別する識別情報であって、複数の携帯端末装置との間で送受信して一以上の外部の携帯端末装置により送信される第２識別情報を取得する識別情報取得手段と、識別情報取得手段による第２識別情報の取得に応じて読込手段を制御し、識別情報取得手段により取得された第２識別情報の何れかに対応する第１識別情報が関連付けられた画像データを一つの表示器に表示させる画像の画像データとして選択して記憶媒体から読み込ませる画像選択手段と、被写体像を撮像して画像データを生成する撮像手段と、撮像手段により生成された画像データから人物の顔に対応する顔画像データを検出する顔検出手段と、記録制御手段とを備え、画像選択手段は、読込手段により読み込まれた画像データの画像を表示器に表示させ、識別情報取得手段は、撮像手段による撮像に連動して携帯端末装置から第２識別情報を取得するものであり、記録制御手段は、顔検出手段により顔画像データが検出された場合に、撮像に連動して取得された第２識別情報を画像データに関連付けて、第１識別情報として記録することを特徴とする。
請求項２に記載の発明による画像表示装置は、記憶媒体に記録された画像データと、携帯端末装置を個別に識別する識別情報であって、画像データに関連付けて記憶媒体に記録された第１識別情報とを読み込む読込手段と、携帯端末装置を個別に識別する識別情報であって、複数の携帯端末装置との間で送受信して一以上の外部の携帯端末装置により送信される第２識別情報を取得する識別情報取得手段と、識別情報取得手段による第２識別情報の取得に応じて読込手段を制御し、識別情報取得手段により取得された第２識別情報の何れかに対応する第１識別情報が関連付けられた画像データを、一つの表示器に表示させる画像の画像データとして選択して記憶媒体から読み込ませる画像選択手段と、画像データから人物の顔に対応する顔画像データを検出する顔検出手段とを備え、画像選択手段は、顔検出手段により顔画像データが検出された画像データのみを選択し、読込手段により読み込まれた画像データの画像を表示器に表示させることを特徴とする。
請求項３に記載の発明による画像表示装置は、記憶媒体に記録された画像データと、携帯端末装置を個別に識別する識別情報であって、画像データに関連付けて記憶媒体に記録された第１識別情報とを読み込む読込手段と、携帯端末装置を個別に識別する識別情報であって、複数の携帯端末装置との間で送受信して一以上の外部の携帯端末装置により送信される第２識別情報を取得する識別情報取得手段と、識別情報取得手段による第２識別情報の取得に応じて読込手段を制御し、識別情報取得手段により取得された第２識別情報のうち特定の第２識別情報に一致する第１識別情報が関連付けられた画像データを、一つの表示器に表示させる画像の画像データとして選択して記憶媒体から読み込ませる画像選択手段と、特定の第２識別情報を選択するための選択画面を表示器に表示する第１表示制御手段と、第１表示制御手段により表示器に表示された選択画面上で複数の第２識別情報の何れかを選択する選択操作を受け付ける第１受付手段と、第１受付手段の操作により選択された第２識別情報を特定の第２識別情報として設定する識別情報設定手段とをさらに備えることを特徴とする。
請求項５に記載の発明による画像表示装置は、記憶媒体に記録された画像データと、携帯端末装置を個別に識別する識別情報であって、画像データに関連付けて記憶媒体に記録された第１識別情報とを読み込む読込手段と、携帯端末装置を個別に識別する識別情報であって、複数の携帯端末装置との間で送受信して一以上の外部の携帯端末装置により送信される第２識別情報を取得する識別情報取得手段と、識別情報取得手段による第２識別情報の取得に応じて読込手段を制御し、識別情報取得手段により取得された第２識別情報の何れかに一致する第１識別情報と関連付けされた画像データから、特定の第１識別情報に関連付けされた画像データを除外して、画像データを選択し、一つの表示器に表示させる画像の画像データとして記憶媒体から読み込ませる画像選択手段と、特定の第１識別情報を選択するための選択画面を表示器に表示する第２表示制御手段と、第２表示制御手段により表示器に表示された選択画面上で、複数の第１識別情報の何れかを選択する選択操作を受け付ける第２受付手段と、第２受付手段により受け付けられた第１識別情報を特定の第１識別情報として設定する第２識別情報設定手段とを備えることを特徴とする。
【発明の効果】
【０００６】
本発明によれば、識別情報取得手段により取得された第２識別情報の何れかに合致する第１識別情報が関連付けられた画像データを選択して記憶媒体から読み込ませ、読み込まれた画像データに対応する画像データを一つの表示器に表示させる。そのため、画像表示装置の周囲に居て、個別に識別可能な携帯端末装置を所持する人物が一人であっても複数であっても、その人物に関連する画像を容易に表示器に表示させることができる。
【図面の簡単な説明】
【０００７】
【図１】本発明の実施の形態による電子カメラの要部構成を説明するブロック図
【図２】実施の形態のおける周囲装置情報リストの一例を示す図
【図３】第１の実施の形態による電子カメラの動作を説明するフローチャート
【図４】第１の実施の形態による電子カメラの動作を説明するフローチャート
【図５】実施の形態における再生周囲装置リストの一例を示す図
【図６】実施の形態における再生ファイルリストの一例を示す図
【図７】第１の実施の形態における電子カメラの動作を説明するフローチャート
【図８】第１の実施の形態における電子カメラの動作を説明するフローチャート
【図９】第１の実施の形態における電子カメラの動作を説明するフローチャート
【図１０】第１の実施の形態における電子カメラの動作を説明するフローチャート
【図１１】第２の実施の形態における非表示人物所持装置リストの一例を示す図
【図１２】第２の実施の形態における装置指定画面の一例を示す図
【図１３】第２の実施の形態における電子カメラの動作を説明するフローチャート
【図１４】第２の実施の形態における電子カメラの動作を説明するフローチャート
【図１５】第３の実施の形態における電子カメラの動作を説明するフローチャート
【図１６】第４の実施の形態における電子カメラの動作を説明するフローチャート
【図１７】第５の実施の形態における電子カメラの動作を説明するフローチャート
【図１８】変形例１におけるアンテナの配置位置の一例を示す図
【図１９】変形例１における電子カメラの動作を説明するフローチャート
【図２０】変形例６における画像表示装置の要部構成を説明するブロック図
【図２１】変形例における画像表示装置の要部構成を説明するブロック図
【図２２】本発明による実施の形態による電子カメラを概略説明する図
【発明を実施するための形態】
【０００８】
図面を参照して、本発明による画像表示装置の一実施の形態として電子カメラを説明する。本発明の実施の形態による電子カメラ１００は、ユーザが表示を所望する人物が撮影された画像を自動的に選択し、電子カメラ１００が備える１つの表示器へ表示することができる。すなわち、本実施の形態の電子カメラ１００は、電子カメラ１００を操作もしくは閲覧している人物が撮影された画像を表示する。電子カメラ１００は、電子カメラ１００を操作もしくは閲覧している人物を特定する場合、および表示器へ表示する画像を選択する、すなわちどの人物が撮影された画像であるかを判別する場合に、人物が所持している携帯端末装置に関する情報を用いる。本明細書では、電子カメラ１００は、携帯端末装置として、各人物が常時携帯している携帯電話に関する情報を用いる。図２２を用いて、この実施の形態の電子カメラ１００の特徴について概略を説明する。
【０００９】
（撮影時）
電子カメラ１００は、撮影時に電子カメラ１００の周囲に存在する携帯端末装置との間で無線通信を行って、携帯端末装置に関する情報を取得して、画像データと関連付けて記憶媒体に記録する。電子カメラ１００が取得する携帯端末装置に関する情報としては、携帯端末装置の種類（たとえば携帯電話、電子カメラ等）に関する情報と、携帯端末装置のそれぞれの機器に固有のＩＤ情報とを含むものとする。
【００１０】
図２２（ａ）は、この電子カメラ１００を用いて撮影を行う場合を示す図である。図２２（ａ）に示すように、人物ＡおよびＢを撮影する場合、電子カメラ１００は、人物Ａが所持する携帯端末装置である携帯電話ａから送信される情報と人物Ｂが所持する携帯電話ｂから送信される情報とを取得する。そして、電子カメラ１００は、人物Ａと人物Ｂとが撮影された画像データに、携帯電話ａから送信された情報と携帯電話ｂから送信された情報とを関連付けて記録する。
【００１１】
（再生時）
電子カメラ１００は、画像を再生する際に周囲に存在する携帯端末装置から送信される装置に関する情報を取得し、取得した情報の何れかに合致する情報が関連付けされた画像データを再生する。図２２（ｂ）は、人物Ａが電子カメラ１００を用いて記憶媒体に記録された画像データを再生する場合を示す。このとき、電子カメラ１００は、人物Ａが所持する携帯電話ａから送信される情報を取得する。そして、電子カメラ１００は、携帯電話ａから取得した装置に関する情報に合致する情報、すなわち携帯電話ａに関する情報と関連付けされた画像データの画像を表示器に表示する。その結果、図２２（ｅ）に示すように、電子カメラ１００の表示器には人物Ａが撮影された画像が再生されることになる。
【００１２】
図２２（ｄ）は、図２２（ｂ）に示すように人物Ａが画像を再生しているときに、人物Ｂが電子カメラ１００を閲覧するために新たに加わった場合を示す。このとき、電子カメラ１００は、人物Ａが所持する携帯電話ａから送信される情報と、人物Ｂが所持する携帯電話ｂから送信される情報とを取得する。そして、電子カメラ１００は、携帯電話ａと携帯電話ｂから取得した情報のいずれかに合致する情報、すなわち携帯電話ａに関する情報と携帯電話ｂに関する情報とに関連付けされた画像データの画像を表示器に表示する。その結果、図２２（ｅ）に示す画像の他、電子カメラ１００は、図２２（ｃ）に示す人物Ｂのみが撮影された画像も再生可能となる。
【００１３】
−第１の実施の形態−
図面を参照して、本発明によるカメラの第１の実施の形態を詳細に説明する。図１に示す電子カメラ１００は、レンズ１０２を備える交換レンズ５０が着脱可能に装着されている。電子カメラ１００は、入力スイッチ１０１、撮像素子１０３、制御部１０４、ＲＡＭ１０５、記憶部１０６、ＬＣＤ駆動回路１０７、ＬＣＤ１０８、メモリカードスロット１０９および通信部１１０を有する。
【００１４】
入力スイッチ１０１はユーザによって操作される種々の操作部材に対応して設けられた種々のスイッチを含み、操作部材の操作に応じた操作信号を制御部１０４へ出力する。操作部材は、たとえば電源ボタンやレリーズボタン、各種の設定等を選択操作する時に操作される十字キー、十字キーにより選択された設定等を決定するための決定ボタン、撮影モードと再生モードとの間で電子カメラ１００の動作を切替えるモード切替ボタン等を含む。
【００１５】
レンズ１０２は、複数の光学レンズ群から構成される。なお、図１ではレンズ１０２を１枚のレンズで代表して表している。撮像素子１０３は、例えばＣＣＤやＣＭＯＳ等により構成される。撮像素子１０３は、後述する制御部１０４の制御に応じて駆動してレンズ１０２を通して入力される被写体像を撮像し、撮像して得た画像信号を出力する。
【００１６】
メモリカードスロット１０９は、メモリカード１０９ａが着脱可能なインタフェースである。メモリカードスロット１０９は、制御部１０４の制御に基づいて、画像ファイルをメモリカード１０９ａに書き込んだり、メモリカード１０９ａに記録されている画像ファイルを読み出すインタフェース回路である。メモリカード１０９ａはコンパクトフラッシュ（登録商標）やＳＤカードなどの半導体メモリカードである。
【００１７】
通信部１１０は、たとえばアンテナや通信回路等を備える無線通信装置であり、外部の周囲装置との間で、たとえばBluetooth等の近距離無線通信技術を用いて各種情報の送受信を行う。通信部１１０は、後述する制御部１０４から所定の通信周期ごとに通信を指示する信号を入力すると、電子カメラ１００の周囲に存在する、１つ以上の通信可能な携帯端末装置（以後、周囲装置と呼ぶ）のそれぞれとの間で各種情報の送受信を行う。周囲装置は、たとえば携帯電話や電子カメラ、プリンタ等の装置であり、通信部１１０との間で情報の通信が可能となるようなアンテナや通信回路を備えるものとする。
【００１８】
本実施の形態の電子カメラ１００は、通信部１１０を介して、周囲装置に関する情報として、たとえば周囲装置の種類を示す情報（種類情報）や周囲装置を個別に識別するための固有のアドレス情報（識別情報）を取得する。なお、上述したように、電子カメラ１００は人物が常時携帯していることが見込まれる携帯電話の情報を用いて画像の選択等を行う。そのため、電子カメラ１００は、通信部１１０により取得された周囲装置の種類情報を用いて、情報を送信した周囲装置が携帯電話であるか否かを判別する。
【００１９】
ＬＣＤ駆動回路１０７は、制御部１０４の命令に基づいてＬＣＤ１０８を駆動する回路である。ＬＣＤ１０８はアスペクト比が、たとえば縦３：横４の液晶表示パネルである。ＬＣＤ１０８は、液晶ビューファインダとして用いられるとともに、メモリカード１０９ａに記録されている画像データに基づいて制御部１０４で作成された表示画像データに対応する画像の表示を行う。また、ＬＣＤ１０８は、画像ファイルに関連する各種情報（シャッタ速度、絞り値、ＩＳＯ感度、ファイル名など）の表示を行う。また、ＬＣＤ１０８は、入力スイッチ１０１の操作に基づき、電子カメラ１００の各種の設定をするためのメニュー画面の表示を行う。
【００２０】
ＲＡＭ１０５は、画像処理、画像圧縮処理の途中や処理後のデータを一時的に格納するバッファメモリとして使用される揮発性記憶媒体である。記憶部１０６は、フラッシュメモリ等により構成される不揮発性記憶媒体である。制御部１０４は、ＣＰＵやメモリその他の周辺回路によって構成され、電子カメラ１００を構成する各部に対して制御信号を出力して、電子カメラ１００の動作を制御する。また、制御部１０４は、画像取得部１０４ａ、ファイル生成部１０４ｂ、通信制御部１０４ｃ、読込部１０４ｄ、表示制御部１０４ｅおよび顔検出部１０４ｇを機能的に備えている。
【００２１】
画像取得部１０４ａは、撮影モードが設定されているときに、ユーザによるレリーズボタンの全押し操作に応じて入力スイッチ１０１から撮影指示を示す操作信号を入力すると、撮像素子１０３を制御して被写体像を撮像した画像信号を出力させる。画像取得部１０４ａは、取得した画像信号に対してＡ／Ｄ変換等を施してデジタル画像信号に変換した後、補間処理、色変換処理、エッジ強調処理などの公知の画像処理を施して原画像データを生成する。そして、画像取得部１０４ａは、生成した原画像データに対して圧縮処理を行い、所定の画像形式、例えばＪｐｅｇ形式に圧縮して画像データを生成する。画像データは、画像取得部１０４ａによりＲＡＭ１０５に格納される。
【００２２】
ファイル生成部１０４ｂは、画像データに種々の付加情報を付加して画像ファイルを生成する。例えば、ファイル生成部１０４ｂは、ＲＡＭ１０５に格納された画像データを用いて、付加情報を付加情報部に格納したＥｘｉｆ形式の画像ファイルを生成する。ここで、付加情報部に付加される付加情報には、一般的には、画像撮影日時に関する情報や画像の撮影条件に関する情報が含まれる。また、ファイル生成部１０４ｂは、後述する通信制御部１０４ｃにより作成された周囲装置情報リストを画像ファイルの付加情報部に記録する。ファイル生成部１０４ｂは、上述のようにして生成した画像ファイルを、メモリカードスロット１０９に挿入されているメモリカード１０９ａ内の所定のフォルダ内に記録する。
【００２３】
通信制御部１０４ｃは、後述するように、通信部１１０を介して行われる周囲装置に関連する情報の取得処理を制御する。そして、通信制御部１０４ｃは、取得した周囲装置に関連する情報に基づいて、後述する周囲装置情報リストや再生周囲装置リスト等の作成処理を行う。
【００２４】
表示制御部１０４ｅは、ＬＣＤ駆動回路１０７に対して表示用画像データ等の各種画像データを出力して、ＬＣＤ１０８に画像を再生表示させる。ユーザによるモード切替ボタンの操作により再生モードが設定されると、表示制御部１０４ｅは、画像ファイルに記録された周囲装置情報リストと通信制御部１０４ｃにより作成された再生周囲装置リストとに基づいて、後述する再生ファイルリストを作成する。そして、表示制御部１０４ｅは、作成した再生ファイルリストを参照して、画像ファイルを選択する。なお、再生ファイルリストの作成処理については後に説明する。読込部１０４ｄは、メモリカード１０９ａに記録された画像ファイルのうち、表示制御部１０４ｅにより選択された画像ファイルをメモリカードスロット１０９を介して読み込んで、ＲＡＭ１０５に格納する。その結果、選択された画像ファイルの付加情報部に記録された周囲装置情報リストも、読込部１０４ｄにより読み込まれる。表示制御部１０４ｅは、読込部１０４ｄによりメモリカード１０９ａから読み込まれた画像ファイルの画像データをＬＣＤ駆動回路１０７へ出力して、選択した画像ファイルに対応する画像をＬＣＤ１０８に表示させる。顔検出部１０４ｇは、撮像素子１０３により出力された画像信号に基づいて画像生成部１０４ａにより生成された画像データに対して、公知の顔検出処理を行う。すなわち、顔検出部１０４ｇは、画像データに含まれる肌色領域（顔画像データ）を検出する。
【００２５】
次に、電子カメラ１００の処理として、以下の（１）、（２）、（３）に分けて説明する
（１）周囲装置情報リストの作成処理
（２）撮影処理
（３）表示処理
【００２６】
（１）周囲装置情報リストの作成処理
図２に周囲装置情報リストの一例を示す。周囲装置情報リストは、通信周期ごとに取得される周囲装置に関する情報に基づいて、電子カメラ１００の近傍、すなわち通信部１１０により通信可能な範囲内に存在する１つ以上の携帯電話等の周囲装置を示す一覧である。換言すると、周囲装置情報リストは、撮影時に被写体となった可能性が高い人物が所持している周囲装置、もしくは再生時に電子カメラ１００を操作したり閲覧している可能性が高い人物が所持している周囲装置を示す一覧である。電子カメラ１００は、周囲装置情報リストを撮影により取得した画像データに付与してメモリカード１０９ａに記録する。さらに電子カメラ１００は、再生時に近傍に存在する周囲装置の識別情報の何れかに合致する識別情報を含む周囲装置情報リストが付与された画像データに対応する画像をＬＣＤ１０８に表示させる。
【００２７】
図２に示すように、周囲装置情報リストには、周囲装置のそれぞれの機器に固有のＩＤ情報である識別情報と、識別情報に対応する周囲装置から電子カメラ１００が周囲装置に関する情報を受信した際の信号の強度（受信信号強度）とが記録される。受信信号強度は周囲装置が電子カメラ１００の近傍にあるほど強くなる。そのため、電子カメラ１００は、受信信号強度の強弱に応じて、被写体となった人物や電子カメラ１００を操作している人物が所持している周囲装置であるのか、電子カメラ１００から離れた位置にいたため被写体である可能性が低い人物が所持している周囲装置であるのかを判別できる。以下、詳細に説明する。
【００２８】
通信制御部１０４ｃは、電子カメラ１００の電源がオンされた後、通信部１１０を制御して所定の通信周期ごとに周囲装置を探索するための探索処理を行う。そして、通信制御部１０４ｃは、探索処理により取得した周囲装置に関する情報を用いて周囲装置情報リストを作成してＲＡＭ１０５に格納する。通信制御部１０４ｃは、撮影モードおよび再生モードのいずれが設定されている場合であっても、上記の通信周期で周囲装置に関する情報を取得するごとに、周囲装置情報リストの作成処理を行うものとする。
【００２９】
通信制御部１０４ｃは、ユーザによる電源ボタンの操作に応じて入力スイッチ１０１から電源オンを指示する操作信号を入力すると、通信部１１０を起動する。そして、通信制御部１０４ｃは、通信部１１０を介して探索要求（Inquiryリクエスト）信号を送信する。そして、通信制御部１０４ｃは、探索要求に応じて周囲装置から送信された信号を受信して、個々の周囲装置に関する情報を取得する。周囲装置に関する情報には、上述した周囲装置の種類情報と周囲装置に固有の識別情報（BD_ADDR）とが含まれている。種類情報は、周囲装置の種類を大まかに分類する大分類と、大分類中の装置の種類をより詳細に分類する小分類とを含む。大分類として、「Phone」や「Printer」等の種類を含むものとする。また、大分類が「Phone」に対応する小分類として、「Cell Phone」、「Smart Phone」、「Modem」等が含まれるものとする。このような分類は、Bluetoothによる通信方式で規定されている装置種類の分類に基づくものとする。
【００３０】
さらに、通信制御部１０４ｃは、周囲装置に関する情報を受信した時の信号の強度（受信信号強度）を測定（検出）する。なお、周囲装置の信号出力が大きいほど、または周囲装置が電子カメラ１００の近傍にあるほど、受信信号強度（RSSI）が強くなる。そして、通信制御部１０４ｃは、受信した周囲装置に関する情報に含まれる特定の種類情報、すなわち種類情報の大分類に基づいて、周囲装置情報リストを作成する。本実施の形態においては、通信制御部１０４ｃは、種類情報の大分類が「Phone」の場合に、周囲装置に関する情報に含まれる識別情報と測定した受信信号強度に関する情報（強度情報）とをＲＡＭ１０５に格納する。したがって、電子カメラ１００の近傍に携帯電話が存在する場合に、その携帯電話の識別情報が周囲装置情報リストに記録されることになる。通信制御部１０４ｃは、種類情報の大分類が「Phone」ではない場合、すなわち特定の種類情報以外の種類情報の場合には、識別情報と強度情報とをＲＡＭ１０５に格納しない。
【００３１】
上述した探索要求に対する応答を受信しなくなった場合、すなわち電子カメラ１００と通信可能な範囲内で周囲に存在する全ての周囲装置から信号を受信し終えた場合、通信制御部１０４ｃは、周囲装置情報リストを作成する。この場合、通信制御部１０４ｃは、ＲＡＭ１０５に格納された周囲装置の識別情報と強度情報とを用いて周囲装置情報リストを作成する。
【００３２】
図２に示すように、周囲装置情報リストには、特定の種類情報として大分類が「Phone」である周囲装置のそれぞれにおける識別情報と強度情報とが記録される。図２に示す周囲装置情報リストにおいては、「識別情報（ｎ）」と「強度情報（ｎ）」とが同一の周囲装置に対応している。通信制御部１０４ｃは、作成した周囲装置情報リストをＲＡＭ１０５に格納する。また、通信制御部１０４ｃは、上述のようにしてＲＡＭ１０５内に格納した識別情報と強度情報と周囲装置情報リストを通信周期ごとにクリアする。すなわち、通信制御部１０４ｃは、通信周期ごとに新たな周囲装置情報リストに更新する。
【００３３】
図３に示すフローチャートを用いて、以上で説明した電子カメラ１００における周囲装置に関する情報の取得処理について説明する。図３の処理を行うプログラムは制御部１０４内の図示しないメモリに格納されており、電源オンされた後、所定の通信周期ごとに制御部１０４により起動されて、実行される。
【００３４】
ステップＳ１０１では、ＲＡＭ１０５内に格納された識別情報、強度情報、周囲装置情報リストを削除してステップＳ１０２へ進む。ステップＳ１０２では、通信部１１０を介して探索要求信号を送信してステップＳ１０３へ進む。このとき、図示しないタイマを起動して時間計測を開始する。ステップＳ１０３では、周囲装置から探索要求信号に応答した信号を受信したか否かを判定する。信号を受信した場合は、ステップＳ１０３が肯定判定されてステップＳ１０４へ進む。信号を受信しない場合は、ステップＳ１０３が否定判定されてステップＳ１０６へ進む。
【００３５】
ステップＳ１０４では、受信した信号に含まれる周囲装置に関する情報のうち、種類情報の大分類が「Phone」であるか否かを判定する。大分類が「Phone」の場合は、ステップＳ１０４が肯定判定されてステップＳ１０５へ進む。大分類が「Phone」ではない場合は、ステップＳ１０４が否定判定されてステップＳ１０３へ戻る。
【００３６】
ステップＳ１０５では、受信した周囲装置に関する情報に含まれる識別情報と、受信信号強度に関する強度情報とをＲＡＭ１０５に格納してステップＳ１０３へ戻る。ステップＳ１０３が否定判定されるとステップＳ１０６でタイムアウトか否かを判定する。ステップＳ１０２で開始したタイマによる計測時間が所定時間を超えている場合は、ステップＳ１０６が肯定判定されてステップＳ１０７へ進む。タイマによる計測時間が所定時間を超えていない場合は、ステップＳ１０６が否定判定されてステップＳ１０３へ戻る。ステップＳ１０７では、ＲＡＭ１０５に格納された各周囲装置ごとの識別情報と強度情報とを用いて、周囲装置情報リストを作成してＲＡＭ１０５に格納して処理を終了する。
【００３７】
（２）撮影処理
上述したように、画像取得部１０４ａは、撮影モードが設定されている場合に、ユーザのレリーズボタンの全押し操作に応じて入力スイッチ１０１から操作信号を入力すると、撮像素子１０３を制御して被写体像を撮像した画像信号を出力させる。そして、画像取得部１０４ａは、取得した画像信号に基づいて画像データを生成して、ＲＡＭ１０５に格納する。ファイル生成部１０４ｂは、ＲＡＭ１０５に格納された画像データを用いて、付加情報を付加情報部に格納したＥｘｉｆ形式の画像ファイルを生成する。
【００３８】
このとき、ファイル生成部１０４ｂは、撮影モード時、すなわち画像取得部１０４ａによる画像データの生成に連動して通信制御部１０４ｃにより生成されＲＡＭ１０５に格納された周囲装置情報リストを読み出して、画像ファイルの付加情報部に記録する。すなわち、ファイル生成部１０４ｂは、撮影指示を入力する以前に通信制御部１０４ｃにより作成され、既にＲＡＭ１０５に格納された周囲装置情報リストを画像ファイルの付加情報部に記録する。なお、撮影指示のタイミングと通信周期とが一致した場合には、ファイル生成部１０４ｂは、既にＲＡＭ１０５に格納された周囲装置情報リストに代えて、通信周期に応じて新たに作成された最新の周囲装置情報リストを画像ファイルの付加情報部に記録してもよい。
【００３９】
ファイル生成部１０４ｂは、上述したようにして生成した画像ファイルをメモリカードスロット１０９を介してメモリカード１０９ａ内の所定のフォルダへ記録する。すなわち、ファイル生成部１０４ｂは、識別情報と画像データとを関連付けてメモリカード１０９ａに記録する。なお、周囲装置情報リストには、種類情報の大分類が「Phone」以外の周囲装置に対応する識別情報と強度情報とが記録されていない。したがって、ファイル生成部１０４ｂは、特定の種類情報以外の種類情報に対応する周囲装置の識別情報を画像ファイルへ記録しない。換言すると、ファイル生成部１０４ｂは、特定の種類情報以外の種類情報に対応する周囲装置を識別するための識別情報を画像ファイルへ記録することを禁止する。
【００４０】
図４に示すフローチャートを用いて、以上で説明した電子カメラ１００における撮影処理について説明する。図４の処理を行うプログラムは制御部１０４内の図示しないメモリに格納されており、ユーザのレリーズボタンの全押し操作に応じて入力スイッチ１０１から撮影指示を示す操作信号が入力されると制御部１０４により起動されて、実行される。
【００４１】
ステップＳ２０１では、撮像素子１０３から被写体像に対応する画像信号を読み出させてステップＳ２０２へ進む。ステップＳ２０２では、取得した画像信号に対して上述した補間処理、色変換処理、エッジ強調処理などの公知の画像処理を施して原画像データを生成する。そして、生成した原画像データを例えばＪｐｅｇ形式に圧縮して画像データを生成し、ＲＡＭ１０５に格納してステップＳ２０３へ進む。
【００４２】
ステップＳ２０３では、ＲＡＭ１０５に格納した画像データに対して付加情報を付加した、ＥＸＩＦ形式の画像ファイルを生成する。そして、ＲＡＭ１０５に格納されている周囲装置情報リストを画像ファイルの付加情報部に記録してステップＳ２０４へ進む。ステップＳ２０４では、ステップＳ２０３で生成した画像ファイルをメモリカード１０９ａへ記録して処理を終了する。
【００４３】
（３）表示処理
ユーザにより再生モードが設定されると、通信制御部１０４ｃは、上述したように、所定の通信周期ごとに作成した周囲装置情報リストに基づいて、再生周囲装置リストを作成する。図５に示す再生周囲装置リストは、周囲装置情報リストに記録された周囲装置のうち、受信信号強度が所定値より強い、すなわち電子カメラ１００の近傍に存在する周囲装置を示す一覧である。換言すると、再生周囲装置リストは、再生モードが設定されているときに、電子カメラ１００を操作またはＬＣＤ１０８に表示された画像を閲覧している人物が所持する周囲装置を示す一覧である。図５に示すように、再生周囲装置リストには、受信信号強度が所定値より強い信号を送信した周囲装置の識別情報が記録される。また、後述するように、電子カメラ１００を操作または閲覧している人物が入れ替わる、新たに人物が加わる等、周囲の人物状況に変化がある場合に、電子カメラ１００は、新たな再生周囲装置リストを作成して更新する。
【００４４】
通信制御部１０４ｃは、所定の通信周期にて作成された最新の周囲装置情報リストに記録されたそれぞれの周囲装置の識別情報のうち、受信信号強度がしきい値より強い信号を送信した周囲装置の識別情報をＲＡＭ１０５に格納する。なお、受信信号強度のしきい値は、周囲装置が近傍に存在することを判定するために適切な値として試験等により得られた値が設定され、図示しないメモリ等に記録されているものとする。また、受信信号強度のしきい値をユーザにより設定可能としてもよい。この場合は、ユーザは、操作部材を操作してＬＣＤ１０８に表示されたメニュー画面からしきい値を設定する。たとえば、ユーザが十字キーの上ボタンを操作するとしきい値が増加し、十字キーの下ボタンを操作するとしきい値が減少するように構成される。そして、ユーザによる決定ボタンの操作に応じて入力スイッチ１０１から操作信号を入力すると、通信制御部１０４ｃはしきい値を設定するようにすればよい。
【００４５】
周囲装置情報リストに記録された全ての周囲装置に対して、上述した識別情報のＲＡＭ１０５への格納が終了すると、通信制御部１０４ｃは再生周囲装置リストを作成する。すなわち、通信制御部１０４ｃは、ＲＡＭ１０５に格納された識別情報を用いて、図５の再生周囲装置リストを作成する。上述したように、再生周囲装置リストには、受信信号強度がしきい値より強い、すなわち電子カメラ１００を操作または閲覧している人物が所持する周囲装置の識別情報が記録される。通信制御部１０４ｃは、作成した再生周囲装置リストを記憶部１０６に記録する。また、通信制御部１０４ｃは、上述のようにしてＲＡＭ１０５に格納した受信信号強度がしきい値より強い信号を送信した周囲装置の識別情報を通信周期ごとにクリアする。
【００４６】
上記のようにした再生周囲装置リストが作成されると、通信制御部１０４ｃは、電子カメラ１００を操作もしくは閲覧をしている人物が入れ替わる、電子カメラ１００を閲覧する新たな人物が加わる等、周囲の人物状況に変化があったか否かを判定する。そして、通信制御部１０４ｃは、周囲の人物状況に変化があった場合には、周囲の人物状況の変化に応じて、再生周囲装置リストを更新する。すなわち、周囲の人物状況の変化に伴って、通信周期ごとに作成された最新の周囲装置情報リストに記録された識別情報が１つ前の通信周期で作成された周囲装置情報リストから変化すると、通信制御部１０４ｃは新たに作成した再生周囲装置リストに更新する。以下、通信制御部１０４ｃによる再生周囲装置リストの更新について説明する。
【００４７】
通信制御部１０４ｃは、通信周期に従って、新たに作成した周囲装置情報リストに基づいて、受信信号強度が所定値以上の信号を送信した周囲装置の識別情報を新たにＲＡＭ１０５に格納する。このとき、通信制御部１０４ｃは、既に記憶部１０６に記録されている再生周囲装置リストを読み出してＲＡＭ１０５に格納する。そして、通信制御部１０４ｃは、新たにＲＡＭ１０５に格納した識別情報に基づいて、新たな再生周囲装置リストを作成して記憶部１０６に記録する。
【００４８】
通信制御部１０４ｃは、以前に作成され、ＲＡＭ１０５に格納された再生周囲装置リストと、新たに作成した再生周囲装置リストとを比較して、新旧２つの再生周囲装置リストに記録された識別情報が異なるか否かを判定する。すなわち、電子カメラ１００の近傍に存在する周囲装置が変化したか否かを判定する。判定の結果、通信制御部１０４ｃは、再生モードのときに電子カメラ１００の周囲の人物状況に変化が生じた場合には、新たに作成した再生周囲装置リストに更新する。
【００４９】
続いて、表示制御部１０４ｅによる再生ファイルリストの作成について説明する。
図６に示す再生ファイルリストは、表示制御部１０４ｅが読込部１０４ｄに対してメモリカード１０９ａから読み込ませる画像ファイルの一覧を示す。再生ファイルリストは、再生モード時に電子カメラ１００の近傍に存在する周囲装置の識別情報のうち、再生周囲装置リストに記述されている識別情報の何れかに合致する識別情報が関連付けされた画像ファイルを示す一覧である。換言すると、再生ファイルリストに示される画像ファイルの画像には、再生モードのときに電子カメラ１００を操作または閲覧している人物が被写体として写っていることになる。なお、識別情報が関連付けされた画像ファイルとは、識別情報が記録された周囲装置情報リストを有する画像ファイルを示す。
【００５０】
図６に示すように、再生ファイルリストにはそれぞれの画像ファイルのフォルダ番号とファイル番号とが記録される。なお、図６においては、「フォルダ番号（ｋ）」と「ファイル番号（ｋ）」とが同一の画像ファイルに対応する。そして、図６に示す再生ファイルリストでは、フォルダ番号およびファイル番号が、撮影日時が最新の画像ファイルに対応するものから順に、リストのＬ(１)段からＬ(ｋ)段の順序で並んでいるものとする。すなわち、図６においては、再生ファイルリストに含まれる画像ファイルのうち、画像撮影日時が最新の画像ファイルのフォルダ番号とファイル番号とがＬ(１)段に記録され、以後、画像撮影日時が新しいものから順番にＬ(２)段、Ｌ(３)段・・・の順序で記録される。そして、撮影日時が最古の画像ファイルのフォルダ番号とファイル番号とがＬ(ｋ)段に記録される。
【００５１】
表示制御部１０４ｅは、通信制御部１０４ｃにより作成された再生周囲装置リストを用いて、次の２つの場合に再生ファイルリストを作成する。
（１）再生モードが設定され、通信制御部１０４ｃにより最初の再生周囲装置リストが作成された後
（２）通信制御部１０４ｃにより新旧２つの再生周囲装置リストに記録された識別情報が異なると判定された場合（周囲の人物状況に変化が生じた場合）
【００５２】
表示制御部１０４ｅは、画像ファイルの付加情報部に記録された周囲装置情報リストと、通信制御部１０４ｃにより作成された再生周囲装置リストとを比較する。このとき、表示制御部１０４ｅは、メモリカード１０９ａに記録された画像ファイルのうち、画像ファイルの付加情報部に記録された画像撮影日時に関する情報を参照して、画像撮影日時が最新の画像ファイルから順番に比較を行う。そして、再生周囲装置リストに記述されている識別情報のいずれかに合致する識別情報を含む周囲装置情報リストが記録された画像ファイルが存在する場合に、表示制御部１０４ｅは、この画像ファイルのフォルダ番号とファイル番号とを再生ファイルリストに記録する。表示制御部１０４ｅは、上述した再生周囲装置リストに記述されている識別情報のいずれかに合致する識別情報を含む周囲装置情報リストが記録された画像ファイルの有無の判定を、画像撮影日時に関する情報に基づいて決定した順序で、全ての画像ファイルについて行うことにより、再生ファイルリストを生成する。換言すると、表示制御部１０４ｅは、再生ファイルリストを作成することにより、通信制御部１０４ｃにより上記（１）または（２）の場合に周囲装置から取得された識別情報の何れかに合致する識別情報を有する画像ファイルを選択する。
【００５３】
表示制御部１０４ｅは、作成した再生ファイルリストに記録された画像ファイルの中から、読込部１０４ｄが読み込む画像ファイルを選択する。この場合、表示制御部１０４ｅは、再生ファイルリストに記録されているフォルダ番号およびファイル番号に対応する画像ファイルのうち、画像撮影日時が最新の画像ファイルを選択する。すなわち、表示制御部１０４ｅは、再生ファイルリストのＬ(１)段に記録されたフォルダ番号およびファイル番号に対応する画像ファイルを選択する。そして、表示制御部１０４ｅは、読込部１０４ｄに対して、上述したようにして選択した画像ファイルをメモリカード１０９ａから読み込ませて、ＲＡＭ１０５に格納する。表示制御部１０４ｅは、ＲＡＭ１０５に格納した画像ファイルの画像データをＬＣＤ駆動回路１０７へ出力して、ＬＣＤ１０８に画像を表示させる。換言すると、表示制御部１０４ｅは、選択した画像ファイルに対応する画像をＬＣＤ１０８に表示させる。
【００５４】
次に、ユーザによりコマ送りまたはコマ戻し操作が行われた場合について説明する。
ユーザによりコマ送りまたはコマ戻し操作が行われた場合には、電子カメラ１００は、再生ファイルリストに記録された順序に従って、ＬＣＤ１０８に表示する画像をコマ送りまたはコマ戻しする。すなわち、ＬＣＤ１０８に表示中の画像のコマ送りまたはコマ戻しが指示された場合には、表示制御部１０４ｅは、再生ファイルリストに記録されたフォルダ番号およびファイル番号に対応する画像ファイルの画像をＬＣＤ１０８に表示させる。
【００５５】
ユーザのコマ送り操作に応じて入力スイッチ１０１からコマ送りを指示する信号を入力すると、表示制御部１０４ｅは、再生ファイルリストに記録された画像ファイルのうち、現在表示中の画像に対応する画像ファイルよりも画像撮影日時の順序が１つ新しい画像ファイルを選択する。すなわち、再生ファイルリストのＬ(２)段に記録された画像ファイルの画像が表示されているときにユーザによりコマ送り操作が行われた場合は、表示制御部１０４ｅは、再生ファイルリストのＬ(１)段に記録されたフォルダ番号およびファイル番号に対応する画像ファイルを選択する。
【００５６】
表示制御部１０４ｅは、読込部１０４ｄに対して、選択した画像ファイル、すなわちＬＣＤ１０８に表示中の画像の画像ファイルよりも画像撮影日時が１つ新しい画像ファイルをメモリカード１０９ａから読み込ませる。表示制御部１０４ｅは、読込部１０４ｄにより読み込まれた画像ファイルの画像データをＬＣＤ駆動回路１０７へ出力して、ＬＣＤ１０８に画像を表示させる。なお、現在表示中の画像が再生ファイルリストのＬ(１)段に対応するフォルダ番号およびファイル番号である場合にコマ送り操作を受け付けると、表示制御部１０４ｅは、再生ファイルリストのＬ(ｋ)段のフォルダ番号およびファイル番号に対応する画像ファイルを選択する。すなわち、画像撮影日時が最も新しい画像ファイルの画像が表示されている場合に、ユーザによりコマ送り操作が行われた場合は、表示制御部１０４ｅは、再生ファイルリストのうち画像撮影日時が最も古い画像ファイルを選択する。
【００５７】
ユーザのコマ戻し操作に応じて入力スイッチ１０１からコマ戻しを指示する信号を入力すると、表示制御部１０４ｅは、再生ファイルリストに記録された画像ファイルのうち、現在表示中の画像に対応する画像ファイルよりも画像撮影日時の順序が１つ古い画像ファイルを選択する。この場合、再生ファイルリストのＬ(２)段に記録された画像ファイルの画像が表示されているときに、ユーザによりコマ戻し操作が行われた場合は、表示制御部１０４ｅは、再生ファイルリストのＬ(３)段に記録されたフォルダ番号およびファイル番号に対応する画像ファイルを選択する。
【００５８】
表示制御部１０４ｅは、読込部１０４ｄに対して、選択した画像ファイル、すなわちＬＣＤ１０８に表示中の画像の画像ファイルに対して画像撮影日時が１つ古い画像ファイルを読み込ませる。そして、表示制御部１０４ｅは、読込部１０４ｄにより読み込まれた画像ファイルの画像データをＬＣＤ駆動回路１０７へ出力して、ＬＣＤ１０８に画像を表示させる。なお、現在表示中の画像が再生ファイルリストのＬ(ｋ)段に対応するフォルダ番号およびファイル番号である場合にコマ戻し操作を受け付けると、表示制御部１０４ｅは、再生ファイルリストのＬ(１)段のフォルダ番号およびファイル番号に対応する画像ファイルを選択する。すなわち再生ファイルリストのうち画像撮影日時が最も古い画像ファイルの画像が表示されているときにユーザによりコマ戻し操作が行われた場合は、表示制御部１０４ｅは、再生ファイルリストのうち画像撮影日時が最も新しい画像ファイルを選択する。
【００５９】
図７〜図１０に示すフローチャートを用いて、以上で説明した電子カメラ１００における表示処理について説明する。図７〜図１０の処理を行う表示プログラムは制御部１０４内の図示しないメモリに格納されており、ユーザの操作に応じて再生モードが設定された場合に制御部１０４により起動されて、実行される。
【００６０】
図７のステップＳ３０１では再生周囲装置リスト作成処理を行ってステップＳ３０２へ進む。なお、ステップＳ３０１における再生周囲装置リスト作成処理の詳細は、図８のフローチャートを用いて後述する。ステップＳ３０２では、再生ファイルリスト作成処理を行ってステップＳ３０３へ進む。なお、ステップＳ３０２の再生ファイルリスト作成処理の詳細は、図９のフローチャートを用いて後述する。
【００６１】
ステップＳ３０３においては、再生ファイルリストのＬ(１)段に記録されたフォルダ番号およびファイル番号に対応する画像ファイル、すなわち画像撮影日時が最新の画像ファイルをメモリカード１０９ａから読み込む。そして、読み込んだ画像ファイルの画像データをＬＣＤ駆動回路１０７へ出力して、ＬＣＤ１０８に画像を表示させてステップＳ３０４へ進む。ステップＳ３０４においては、コマ送りまたはコマ戻し処理を行ってステップＳ３０５へ進む。なお、コマ送り、コマ戻し処理の詳細については、図１０のフローチャートを用いて後述する。
【００６２】
ステップＳ３０５においては、周囲装置から識別情報を取得するための通信周期であるか否かを判定する。通信周期の場合は、ステップＳ３０５が肯定判定されてステップＳ３０６へ進む。通信周期ではない場合は、ステップＳ３０５が否定判定されてステップＳ３０９へ進む。ステップＳ３０６においては、現在の再生周囲装置リストを記憶部１０６から読み出し、ＲＡＭ１０５に格納してステップＳ３０７へ進む。
【００６３】
ステップＳ３０７においては、ステップＳ３０１と同様にして再生周囲装置リストを作成してステップＳ３０８へ進む。ステップＳ３０８においては、新旧の再生周囲装置リストを比較して、再生周囲装置リストに変化があるか否かを判定する。再生周囲装置リストに変化がある場合、すなわち新旧２つの再生周囲装置リストに記録された識別情報が異なる場合、ステップＳ３０８が肯定判定されてステップＳ３０２へ戻る。再生周囲装置リストに変化がない場合は、ステップＳ３０８が否定判定されてステップＳ３０９へ進む。ステップＳ３０９では、再生モードを終了する指示の有無を判定する。ユーザによるモード切替ボタンの操作に応じて入力スイッチ１０１から再生モードの終了を指示する信号を入力した場合は、ステップＳ３０９が肯定判定されて処理を終了する。再生モードの終了を指示する信号を入力しない場合は、ステップＳ３０９が否定判定されてステップＳ３０４へ戻る。
【００６４】
次に、図８に示すフローチャートを用いて、図７のステップＳ３０１、Ｓ３０７における再生周囲装置リスト作成処理について説明する。
ステップＳ４０１では、図３のフローチャートに示す処理により作成された周囲装置情報リストの最初に記録された識別情報の周囲装置に対応する強度情報を参照してステップＳ４０２へ進む。ステップＳ４０２では、強度信号に基づいて、受信信号強度が所定の値よりも大きいか否かを判定する。受信信号強度が所定の値よりも大きい場合は、ステップＳ４０２が肯定判定されてステップＳ４０３へ進む。受信信号強度が所定の値以下の場合はステップＳ４０２が否定判定されてステップＳ４０４へ進む。
【００６５】
ステップＳ４０３では、周囲装置の識別情報をＲＡＭ１０５に格納してステップＳ４０４へ進む。ステップＳ４０４では、周囲装置情報リストに含まれる全ての識別信号に対応する周囲装置について処理が終了したか否かを判定する。全ての周囲装置について処理が終了した場合は、ステップＳ４０４が肯定判定されてステップＳ４０５へ進む。全ての周囲装置について処理が終了していない場合には、ステップＳ４０４が否定判定されてステップＳ４０７へ進む。
【００６６】
ステップＳ４０５では、ＲＡＭ１０５に格納された周囲装置の識別情報を用いて再生周囲装置リストを作成してステップＳ４０６へ進む。ステップＳ４０６では、作成した再生周囲装置リストを記憶部１０６へ記録して処理を終了する。ステップＳ４０４が否定判定されるとステップＳ４０７へ進み、周囲装置情報リストに含まれる次の周囲装置に対応する強度情報を参照してステップＳ４０２へ戻る。
【００６７】
次に、図９に示すフローチャートを用いて、図７のステップＳ３０２における再生ファイルリスト作成処理について説明する。
ステップＳ５０１では、再生ファイルリストをクリアしてステップＳ５０２へ進む。ステップＳ５０２においては、画像撮影日時が最新の画像ファイルの付加情報部に記録された周囲装置情報リストを参照してステップＳ５０３へ進む。
【００６８】
ステップＳ５０３では、ステップＳ５０２で参照した周囲装置情報リストと、再生周囲装置リストとを比較して、再生周囲装置リストに含まれる周囲装置の識別情報の何れかに合致する識別情報が周囲装置情報リストに存在するか否かを判定する。再生周囲装置リストに含まれる周囲装置の識別情報の何れに合致する識別情報が周囲装置情報リストに存在する場合には、ステップＳ５０３が肯定判定されてステップＳ５０４へ進む。再生周囲装置リストに含まれる周囲装置の識別情報が周囲装置情報リストの識別情報の何れにも合致しない場合には、ステップＳ５０３が否定判定されてステップＳ５０５へ進む。
【００６９】
ステップＳ５０４では、再生周囲装置リストに含まれる周囲装置の識別情報の何れかに合致する識別情報を含む周囲装置情報リストが記録された画像ファイルのフォルダ番号とファイル番号とを再生ファイルリストに記録してステップＳ５０５へ進む。ステップＳ５０５においては、全ての画像ファイルに対して処理が終了したか否かを判定する。全ての画像ファイルに対して処理が終了した場合には、ステップＳ５０５が肯定判定されて処理を終了する。全ての画像ファイルに対して処理が終了していない場合には、ステップＳ５０５が否定判定されてステップＳ５０６へ進む。ステップＳ５０６においては、画像撮影日時が次に新しい画像ファイルの付加情報部に記録された周囲装置情報リストを参照してステップＳ５０３へ戻る。
【００７０】
次に、図１０に示すフローチャートを用いて、図７のステップＳ３０４におけるコマ送り、コマ戻し表示処理について説明する。
ステップＳ６０１では、1コマ送りが指示されたか否かを判定する。入力スイッチ１０１から1コマ送りを指示する信号を入力した場合は、ステップＳ６０１が肯定判定されてステップＳ６０２へ進む。１コマ送りを指示する信号を入力しない場合には、ステップＳ６０１が否定判定されて、後述するステップＳ６０５へ進む。
【００７１】
ステップＳ６０２においては、再生ファイルリストのＬ(１)段に記録されたフォルダ番号およびファイル番号に対応する画像ファイル、すなわち画像撮影日時が最新の画像ファイルの画像がＬＣＤ１０８に表示されているか否かを判定する。画像撮影日時が最新の画像が表示されている場合には、ステップＳ６０２が肯定判定されてステップＳ６０３へ進む。画像撮影日時が最新の画像ファイルに対応する画像がＬＣＤ１０８に表示されていない場合は、ステップＳ６０２が否定判定されてステップＳ６０４へ進む。
【００７２】
ステップＳ６０３では、再生ファイルリストのＬ(ｋ)段に記録されたフォルダ番号およびファイル番号に対応する画像ファイル、すなわち画像撮影日時が最古の画像ファイルを読み込む。そして、読み込んだ画像ファイルに対応する画像データをＬＣＤ駆動回路１０７へ出力し、ＬＣＤ１０８に画像撮影日時が最古の画像を表示させて処理を終了する。ステップＳ６０２が否定判定されるとステップＳ６０４へ進み、再生ファイルリストの１段上段に記録されたフォルダ番号およびファイル番号に対応する画像ファイル、すなわち表示中の画像の画像ファイルに対して画像撮影日時の順序が１つ新しい画像ファイルを読み込む。そして、読み込んだ画像ファイルに対応する画像データをＬＣＤ駆動回路１０７へ出力し、ＬＣＤ１０８に画像を表示させて処理を終了する。
【００７３】
ステップＳ６０１が否定判定されるとステップＳ６０５へ進み、1コマ戻しが指示されたか否かを判定する。入力スイッチ１０１から１コマ戻しを指示する信号を入力した場合は、ステップＳ６０５が肯定判定されてステップＳ６０６へ進む。１コマ戻しを指示する信号を入力しない場合には、ステップＳ６０５が否定判定されて処理を終了する。ステップＳ６０６では、再生ファイルリストのＬ(ｋ)段に記録されたフォルダ番号およびファイル番号に対応する画像ファイル、すなわち画像撮影日時が最古の画像ファイルの画像がＬＣＤ１０８に表示されているか否かを判定する。画像撮影日時が最古の画像が表示されている場合には、ステップＳ６０６が肯定判定されてステップＳ６０７へ進む。画像撮影日時が最古の画像ファイルに対応する画像がＬＣＤ１０８に表示されていない場合は、ステップＳ６０６が否定判定されてステップＳ６０８へ進む。
【００７４】
ステップＳ６０７では、再生ファイルリストのＬ(１)段に記録されたフォルダ番号およびファイル番号に対応する画像ファイル、すなわち画像撮影日時が最新の画像ファイルを読み込む。そして、読み込んだ画像ファイルに対応する画像データをＬＣＤ駆動回路１０７へ出力し、ＬＣＤ１０８に画像撮影日時が最新の画像を表示させて処理を終了する。ステップＳ６０６が否定判定されるとステップＳ６０８へ進み、再生ファイルリストの１段下に記録されたフォルダ番号およびファイル番号に対応する画像ファイル、すなわち表示中の画像の画像ファイルに対して画像撮影日時の順序が１つ古い画像ファイルを読み込む。そして、読み込んだ画像ファイルに対応する画像データをＬＣＤ駆動回路１０７へ出力し、ＬＣＤ１０８に画像を表示させて処理を終了する。
【００７５】
以上で説明した第１の実施の形態によれば、以下の作用効果が得られる。
（１）読込部１０４ｄはメモリカード１０９ａに記録された画像ファイルと、周囲装置を個別に識別する識別情報であって、画像ファイルの付加情報部に記録された識別情報とを読み込むようにした。また、通信制御部１０４ｃは、通信部１１０を介して、一以上の周囲装置から送信される識別情報を取得するようにした。そして、表示制御部１０４ｅは、通信制御部１０４ｃによる識別情報の取得に応じて読込部１０４ｄを制御して、通信制御部１０４ｃにより取得された識別情報の何れかに合致する識別情報が関連付けられた画像ファイルを選択してメモリカード１０９ａから読み込ませるようにした。さらに、表示制御部１０４ｅは、読込部１０４ｄにより読み込まれた画像ファイルに対応する画像を一つのＬＣＤ１０８に表示させるようにした。その結果、電子カメラ１００を操作もしくは閲覧する人物が所持する携帯電話等の周囲装置の識別情報に合致する識別情報と関連付けされた画像ファイルの画像がＬＣＤ１０８に表示される。したがって、電子カメラ１００の周囲にいる人物が一人であっても複数であっても、その人物に関連する画像、すなわち電子カメラ１００の周囲にいる人物が撮影された画像を、ユーザによる煩雑な操作を伴うことなく表示させることができる。
【００７６】
（２）通信制御部１０４ｃは、撮影モード時、すなわち撮像素子１０３による撮像に連動して周囲装置から識別情報を取得するようにした。そして、ファイル生成部１０４ｂは、撮像に連動して取得された識別情報を画像ファイルの付加情報部に記録するようにした。すなわち、ファイル生成部１０４ｂは、識別情報を画像取得部１０４ａにより生成された画像データに関連付けてメモリカード１０９ａに記録するようにした。その結果、被写体となった人物が所持している携帯電話等の周囲装置の識別情報が画像ファイルに記録されているので、閲覧者は表示を所望する画像の選択操作を行うことなく自分が撮影された画像をＬＣＤ１０８に表示させることができる。
【００７７】
（３）通信制御部１０４ｃは、撮像素子１０３による撮像に連動して、通信部１１０を介して周囲装置の種類を識別するための種類情報をさらに取得するようにした。そして、ファイル生成部１０４ｂは、通信部１１０を介して取得された種類情報のうち特定の種類情報、すなわち種類情報の大分類が「Phone」に対応する周囲装置の識別情報を画像ファイルの付加情報部に記録して、画像ファイルをメモリカード１０９ａに記録するようにした。また、ファイル生成部１０４ｂは、通信部１１０を介して取得された種類情報のうち特定の種類情報（種類情報の大分類が「Phone」）以外の周囲装置の識別情報を画像ファイルの付加情報部に記録することを禁止するようにした。その結果、通信部１１０を介した通信が可能な、携帯電話以外の周囲装置の識別情報は画像ファイルに記録されない。したがって、人物が所持する携帯電話等の周囲装置とは異なる装置だけが撮影され、閲覧者が表示を所望しないような画像がＬＣＤ１０８に表示されることを防げる。
【００７８】
（４）通信制御部１０４ｃは、所定の通信周期で周囲装置から識別情報を取得し、ファイル生成部１０４ｂは、被写体像の撮像が指示される前に既に取得された識別情報を撮像指示に応じて生成した画像ファイルの付加情報部に記録するようにした。したがって、撮影時に被写体となる人物が所持している携帯電話等の周囲装置の識別情報である可能性が高い識別情報が画像ファイルに記録されるので、上記の人物が画像を閲覧する際は自分が撮影された画像を容易にＬＣＤ１０８に表示させることができる。
【００７９】
（５）通信制御部１０４ｃは、再生モード時に周囲装置から識別情報を含む信号を取得した際の信号の受信信号強度を検出するようにした。そして、表示制御部１０４ｅは、取得された識別情報のうち、受信信号強度が所定の強度よりも強い信号に含まれる識別情報に合致する識別情報が記録された画像ファイルを選択するようにした。すなわち、再生モード時に電子カメラ１００の近傍に位置する人物、もしくは電子カメラ１００を保持している人物が所持する携帯電話等の周囲装置の識別情報に合致する識別情報が記録された画像ファイルの画像がＬＣＤ１０８に表示されることになる。したがって、画像の閲覧を所望している可能性が高い人物が撮影された画像がＬＣＤ１０８に表示されるので、利便性が向上する。
【００８０】
（６）通信制御部１０４ｃは、再生モード時に所定の通信周期ごとに周囲装置から識別情報を取得するようにした。表示制御部１０４ｅは、通信制御部１０４ｃにより新たに取得された識別情報が以前に取得された識別情報から変化した場合には、新たに取得された識別情報に合致する識別情報が記録された画像ファイルを以前に選択した画像ファイルに代えて選択するようにした。画像を閲覧している人物が変化した場合、たとえばＬＣＤ１０８に画像を表示している最中に電子カメラ１００を他の人物に渡した場合であっても、新たな人物が所持している携帯電話等に識別情報に基づいて、ＬＣＤ１０８に表示される画像が切り替る。その結果、新たな人物が所望する画像、すなわち新たな人物が被写体として写っている画像がＬＣＤ１０８に表示されるので、表示を所望する画像を改めて選択する操作が不要となり利便性が向上する。
【００８１】
−第２の実施の形態−
第２の実施の形態の電子カメラでは、特定の識別情報と関連付けされた画像ファイルの画像を表示させないようにする。この電子カメラでは、ユーザが周囲装置の識別情報を選択することにより、表示させない画像を決定する。すなわち、第２の実施の形態の電子カメラは、ユーザが表示を所望しない人物が被写体として写っている画像を表示対象から除外することができる。
【００８２】
図面を参照して、本発明による第２の実施の形態について詳細に説明する。以下の説明では、第１の実施の形態と同じ構成要素には同じ符号を付して相違点を主に説明する。特に説明しない点については、第１の実施の形態と同じである。第１の実施の形態の電子カメラ１００では、図７のステップＳ３０７で作成された再生ファイルリストに記録された画像ファイルの画像がＬＣＤ１０８に表示された。これに対して第２の実施の形態では、再生ファイルリストに表示された画像ファイルのうち、ユーザにより選択された識別情報に合致する識別情報が関連付けされた画像ファイルの画像が除外されて表示される。
【００８３】
第２の実施の形態における電子カメラ１００は、ユーザが表示を所望しない人物が所持している周囲装置を指定するための装置指定処理に応じて図１１の非表示人物所持装置リストに識別情報を記録する。図１１に示すように、非表示人物所持装置リストは、周囲装置のデバイス名と識別情報とが記録された一覧であり、「識別情報（ｈ）」と「デバイス名（ｈ）」とは同一の周囲装置に対応することを表している。非表示人物所持装置リストは、再生ファイルリストに記録された画像ファイルのうち、ＬＣＤ１０８への表示をユーザが所望しない画像の画像ファイルを表示制御部１０４ｅによる選択の対象から除外するために電子カメラ１００により作成される。
【００８４】
再生モードが設定されると、電子カメラ１００は、再生ファイルリストに記録された画像ファイルから、非表示人物所持装置リストに記録された識別情報に合致する識別情報が関連付けされた画像ファイルを除外して選択する。その結果、電子カメラ１００は、非表示人物所持装置リストに記録された識別情報に合致する識別情報が関連付けされた画像ファイルの画像を表示させないようにする。なお、装置指定処理は、たとえばＬＣＤ１０８に表示されたメニュー画面上からユーザが装置指定処理を選択することにより開始される。この場合、装置指定処理の選択は、ユーザが操作部材を操作することにより行われる。以下、詳細に説明する。
【００８５】
通信制御部１０４ｃは、第１の実施の形態で説明した方法と同様の方法で周囲装置情報リストを作成する。そして、表示制御部１０４ｅは、通信制御部１０４ｃにより通信周期ごとに作成された周囲装置情報リストに基づいて、非表示人物所持装置リストを作成するためのリスト作成処理を行う。すなわち、表示制御部１０４ｅは、周囲装置情報リストに記録された識別情報のうち、ユーザによるリスト作成処理により選択された識別情報を非表示人物所持装置リストに記録する。
【００８６】
リスト作成処理は、図１２に示す装置指定画面上でのユーザの操作に応じて表示制御手段１０４ｅにより行われる。装置指定画面は、周囲装置情報リストに含まれる周囲装置の識別情報を、非表示人物所持装置リストに記録するか否かをユーザが設定するために参照される画面である。図１２に示すように、装置指定画面には、デバイス名と、識別情報と、有効／無効のいずれかとが表示される。さらに、装置指定画面には、カーソルＣＲと終了ボタンＢＴとが表示される。
【００８７】
装置指定画面に表示される識別情報は、周囲装置情報リストに記録された識別情報である。デバイス名は、装置指定画面に表示される識別情報に対応する周囲装置の名称であり、識別情報に対応する周囲装置がどのような装置であるのかをユーザが把握しやすくするために表示される。有効は非表示人物所持装置リストに識別情報が記録されていること、すなわち周囲装置が、ユーザが表示を所望しない人物が所持する周囲装置として指定されていることを示す。換言すると、有効に設定された周囲装置を所持する人物が撮影された画像はＬＣＤ１０８に表示されることが禁止される。また、無効は非表示人物所持装置リストに識別情報が記録されていないこと、すなわち周囲装置が、ユーザが表示を所望しない人物が所持する周囲装置として指定されていないことを示す。換言すると、無効に設定された周囲装置を所持する人物が撮影された画像はＬＣＤ１０８に表示可能となる。
【００８８】
カーソルＣＲは、無効または有効の設定をする周囲装置としてユーザが選択していることを示す指標である。カーソルＣＲは、ユーザによる、たとえば十字キーの上下の操作に応じて、装置登録画面上を上下方向に移動する。そして、ユーザが、たとえば決定ボタンを操作すると、選択されている周囲装置について有効／無効の設定を変更することができる。すなわち、ユーザにより決定ボタンが操作されるごとに、選択されている周囲装置の有効と無効とが切り替る。終了ボタンＢＴは、リスト登録処理を終了する際に、ユーザにより操作される。この操作は、ユーザが、たとえば十字キー等を操作して終了ボタンＢＴにカーソルを合わせて決定ボタンを操作することにより行われる。
【００８９】
以下、リスト作成処理の詳細について説明する。
リスト作成処理においては、通信制御部１０４ｃは、周囲装置情報リストに記録された識別情報に対応する周囲装置のデバイス名を取得する。すなわち、通信制御部１０４ｃは、周囲装置に対して、デバイス名の送信を要求する信号（名前要求信号）を通信部１１０を介して送信する。そして、通信制御部１０４ｃは、名前要求信号に応じて周囲装置から送られたデバイス名を示す信号を通信部１１０を介して受信して、識別情報とデバイス名とを関連付けてＲＡＭ１０５に格納する。このとき、周囲装置が送信したデバイス名を示す信号の受信信号強度がしきい値未満の場合には、表示制御部１０４ｅは、その周囲装置のデバイス名をＬＣＤ１０８に表示するようにしてもよい。
【００９０】
表示制御部１０４ｅは、図１２に示す装置登録画面をＬＣＤ１０８に表示する。このとき、表示制御部１０４ｅは、ＲＡＭ１０５に格納されたデバイス名と識別情報とに基づいて、装置指定画面にデバイス名と識別情報とを表示する。上述した名前要求信号に応じて周囲装置からデバイス名を受信できなかった場合は、表示制御部１０４ｅは、装置指定画面のデバイス名が空白となるように表示する。なお、通信制御部１０４ｃによりデバイス名が取得できなかった周囲装置については、表示制御部１０４ｅは、周囲装置のデバイス名だけでなく、識別情報と、有効／無効とについても装置指定画面に表示しないようにしてもよい。また、表示制御部１０４ｅは、周囲装置情報リストに含まれる周囲装置のうち、非表示人物所持装置リストに記録されている周囲装置を有効、記録されていない周囲装置を無効として装置指定画面に表示する。
【００９１】
上述したように、ユーザにより決定ボタンが操作されるごとに、表示制御部１０４ｅは、選択されている周囲装置の有効と無効とを切り替る。表示制御部１０４ｅは、無効に設定されている周囲装置が選択されている場合（たとえば図１２のデバイス名「W62H」）には、ユーザにより決定ボタンが操作されると設定を有効に変更する。そして、表示制御部１０４ｅは、選択された周囲装置のデバイス名および識別情報を非表示人物所持装置リストに登録する。換言すると、表示制御部１０４ｅは、ユーザの操作に応じて選択された識別情報を、所定条件を満たす識別情報として特定して、非表示人物所持装置リストに記録する。また、表示制御部１０４ｅは、有効に設定されている周囲装置が選択された場合（たとえば図１２のデバイス名「NIKON」）には、ユーザにより決定ボタンが操作されると設定を無効に変更する。そして、表示制御部１０４ｅは、選択された周囲装置のデバイス名および識別情報を非表示人物所持装置リストから削除する。
【００９２】
ユーザにより終了ボタンＢＴが操作されると、表示制御部１０４ｅは、上述のようにして周囲装置のデバイス名および識別情報の記録または削除が行われた非表示人物所持装置リストを記憶部１０６に格納する。そして、表示制御部１０４ｅは、リスト作成処理を終了する。
【００９３】
図１３に示すフローチャートを用いて、以上で説明した電子カメラ１００における装置指定処理について説明する。図１３の処理を行う装置指定プログラムは制御部１０４内の図示しないメモリに格納されており、ユーザの操作に応じて入力スイッチ１０１から装置指定プログラムの起動を指示する信号が入力されると制御部１０４により起動されて、実行される。
ステップＳ８０１においては、通信部１１０を介して名前要求信号を送信し、周囲装置情報リストに記録されている識別情報に対応する周囲装置のデバイス名を取得してステップＳ８０２へ進む。ステップＳ８０２においては、ＬＣＤ１０８に装置指定画面を表示させてステップＳ８０３へ進む。
【００９４】
ステップＳ８０３においては、装置指定画面上で周囲装置が選択されユーザにより決定ボタンが操作されたか否かを判定する。周囲装置が選択された場合は、ステップＳ８０３が肯定判定されてステップＳ８０４へ進む。周囲装置が選択されていない場合は、ステップＳ８０３が否定判定されて後述するステップＳ８０７へ進む。
【００９５】
ステップＳ８０４では、ステップＳ８０３で選択された周囲装置が非表示人物所持装置リストに記録されているか否かを判定する。選択された周囲装置の識別情報が非表示人物所持装置リストに記録されている場合は、ステップＳ８０４が肯定判定されてステップＳ８０５へ進む。ステップＳ８０５では、装置指定画面上の表示を無効に変更し、非表示人物所持装置リストから選択された周囲装置の識別情報を削除してステップＳ８０３へ戻る。選択された周囲装置の識別情報が非表示人物所持装置リストに記録されていない場合は、ステップＳ８０４が否定判定されてステップＳ８０６へ進む。ステップＳ８０６では、装置指定画面上の表示を有効に変更し、選択された周囲装置の識別情報を非表示人物所持装置リストに追加してステップＳ８０３へ戻る。
【００９６】
ステップＳ８０３が否定判定されるとステップＳ８０７へ進み、リスト作成処理の終了指示の有無を判定する。ユーザによりリスト作成処理の終了を指示する操作が行われた場合は、ステップＳ８０７が肯定判定されて処理を終了する。ユーザによりリスト作成処理の終了を指示する操作が行われない場合は、ステップＳ８０７が否定判定されてステップＳ８０３へ戻る。
【００９７】
上述したようにして非表示人物所持装置リストが作成された場合、表示制御部１０４ｅは、再生周囲装置リストを作成する際に非表示人物所持装置リストに記録されている識別情報を再生周囲装置リストに記録しない。その結果、表示制御部１０４ｅは、非表示人物所持装置リストに記録された識別情報に合致する識別情報が関連付けされた画像ファイルのファイル番号とファイル番号とを再生ファイルリストに記録しない。したがって、非表示人物所持装置リストに記録された識別情報に合致する識別情報が記録された周囲装置情報リストを有する画像ファイルの画像がＬＣＤ１０８に表示されなくなる。なお、表示制御部１０４ｅは、上述したようにユーザの操作に基づいて非表示人物所持装置リストを作成するものに代えて、強度情報の値がしきい値未満である周囲装置の識別情報を全て非表示人物所持リストに登録してもよい。
【００９８】
図１４のフローチャートを参照しながら、第２の実施の形態における再生周囲装置リスト作成処理について説明する。
図１４のステップＳ４１０（強度情報参照処理）からステップＳ４１１（受信信号強度の大きさ判定）までの各処理は、第１の実施の形態の説明で用いた図８におけるステップＳ４０１（強度情報参照処理）からステップＳ４０２（受信信号強度の大きさ判定）までの各処理と同様である。ステップＳ４１２では、非表示人物所持装置リストに記録されているか否かを判定する。非表示人物所持装置リストに記録されている場合は、ステップＳ４１２が肯定判定されてステップＳ４１４へ進む。非表示人物所持装置リストに記録されていない場合は、ステップＳ４１２が否定判定されてステップＳ４１３へ進む。ステップＳ４１３（周囲装置の識別情報を格納）からステップＳ４１７（次の周囲装置の強度情報を参照）までの各処理は、図８のステップＳ４０３（周囲装置の識別情報を格納）からステップＳ４０７（次の周囲装置の強度情報を参照）までの各処理と同様である。
【００９９】
以上で説明した第２の実施の形態によれば、第１の実施の形態で得られた効果に加えて、さらに以下の作用効果が得られる。
（１）表示制御部１０４ｅは、通信制御部１０４ｃにより取得された識別情報に合致する識別情報が記録された画像ファイルから、特定の識別情報が記録された画像ファイルを除外して、画像ファイルを選択するようにした。たとえば、人物Ａが人物Ｂを撮影する場合、人物Ａが所持する携帯電話等の識別情報を特定の識別情報として指定されたとする。この場合には、人物Ｂが画像を閲覧するときに、人物Ａが撮影されているが人物Ｂが撮影されていない画像、すなわち閲覧者である人物Ｂが表示を所望しない画像がＬＣＤ１０８に表示されることが防げる。
【０１００】
（２）表示制御部１０４ｅは、通信制御部１０４ｃにより取得された識別情報に基づいて、すなわち周囲装置情報リストに記録された識別情報に基づいて、特定の識別情報を選択するための装置指定画面をＬＣＤ１０８に表示するようにした。そして、表示制御部１０４ｅは、装置指定画面上で識別情報を選択する選択操作に応じて入力スイッチ１０１から操作信号を入力すると、選択された識別情報を特定の識別情報として設定するようにした。したがって、ユーザは電子カメラ１００の近傍に存在する周囲装置の識別情報の無効もしくは有効の設定が容易に行えるようになる。すなわち、表示を所望しない人物が撮影された画像の指定を容易に行うことができる。
【０１０１】
以上で説明した第２の実施の形態を、次のように変形できる。
（１）ユーザが選択した画像の画像ファイルが有する周囲装置情報リストに基づいて、表示制御部１０４ｅが非表示人物所持装置リストを作成するようにしてもよい。換言すると、表示制御部１０４ｅは、ユーザが選択した画像ファイルが有する周囲装置情報リストに記録された識別情報の中から所定条件を満たす識別情報を特定して、特定した識別情報を非表示人物所持装置リストに記録してもよい。この場合、ユーザは、表示したくない周囲装置と関連がある画像を選択する。ＬＣＤ１０８に画像が表示されている際に、ユーザによる操作部材の操作に応じてメニュー画面上に表示された装置指定処理の開始を指示するコマンドを選択することにより画像の選択が行われる。または、ユーザがＬＣＤ１０８に表示されたサムネイル画像を選択することにより装置指定処理を行う画像を選択するようにしてもよい。この場合、メニュー画面から装置指定処理の開始を指示するコマンドを選択すると、読込部１０４ｄは、メモリカード１０９ａに記録された画像ファイルのサムネイル画像データを読み出す。そして、表示制御部１０４ｅは、読み出されたサムネイル画像データをＬＣＤ駆動回路１０７に出力して、ＬＣＤ１０８にサムネイル画像を表示させればよい。
【０１０２】
ユーザにより画像が選択されると、読込部１０４ｄは、選択された画像の画像ファイルの付加情報部に記録された周囲装置情報リストを読み出す。そして、通信制御部１０４ｃは、読み出された周囲装置情報リストに記録された識別情報に対応する周囲装置のデバイス名を取得する。すなわち、通信制御部１０４ｃは、周囲装置に対して、デバイス名の送信を要求する信号（名前要求信号）を通信部１１０を介して送信する。そして、通信制御部１０４ｃは、名前要求信号に応じて周囲装置から送られたデバイス名を示す信号を通信部１１０を介して受信して、識別情報とデバイス名とを関連付けてＲＡＭ１０５に格納する。デバイス名が取得されると、表示制御部１０４ｅは、第２の実施の形態で説明した場合と同様にして非表示人物所持装置リストを作成する。なお、表示制御部１０４ｅは、ユーザにより選択された画像の画像ファイルが有する周囲装置情報リストに含まれる全ての識別情報を非表示人物所持装置リストに記録するようにしてもよい。換言すると、表示制御部１０４ｅは、ユーザが選択した画像ファイルが有する周囲装置情報リストに記録された全ての識別情報を所定条件を満たす識別情報として特定して、非表示人物所持装置リストに登録してもよい。
【０１０３】
変形例における装置指定処理について説明する。装置指定処理を行う装置指定プログラムは制御部１０４内の図示しないメモリに格納されており、ユーザの操作に応じて入力スイッチ１０１から装置指定プログラムの起動を指示する信号が入力されると制御部１０４により起動されて、実行される。
【０１０４】
制御部１０４は、上述したように、ユーザの操作に応じて画像ファイルを選択する。そして、制御部１０４は、リスト作成処理を行って装置指定処理を終了する。リスト作成処理は、図１３のフローチャートに示す各処理と同様である。ただし、ステップＳ８０１においては、ユーザの操作に応じて選択した画像ファイルの付加情報部に記録された周囲装置情報リストに対応する周囲装置のデバイス名を取得する処理を行うものとする。
【０１０５】
（２）表示制御部１０４ｅが非表示人物所持装置リストを作成するものに代えて、表示人物所持装置リストを作成するものでもよい。この場合、表示制御部１０４ｅは、表示人物所持装置リストに記録された識別情報に合致する識別情報に関連付けされた画像ファイルの画像をＬＣＤ１０８に表示させるようにする。なお、表示制御部１０４ｅは、上記したリスト作成処理と同様の処理を行うことにより、周囲装置の識別情報とデバイス名とを表示人物所持装置リストに記録すればよい。
【０１０６】
−第３の実施の形態−
図面を参照して、本発明による第３の実施の形態について説明する。以下の説明では、第１〜第２の実施の形態と同じ構成要素には同じ符号を付して相違点を主に説明する。特に説明しない点については、第１〜第２の実施の形態と同じである。本実施の形態では、電子カメラ１００が撮影指示に応じて撮影処理を行う際にのみ周囲装置に関する情報を取得して周囲装置情報リストを作成する点で、第１〜第２の実施の形態と異なる。第３の実施の形態の電子カメラ１００は、所定の通信周期ごとに周囲装置からの信号を受信するものではないので、通信周期ごとに周囲装置情報リストを作成する場合と比較して処理負荷、消費電力を低減できる。
【０１０７】
画像取得部１０４ａは、撮影モードが設定されているときに、ユーザのレリーズボタンの全押し操作に応じて入力スイッチ１０１から撮影指示を示す操作信号を入力すると、撮像素子１０３を制御して被写体像を撮像した画像信号を出力させる。さらに、入力スイッチ１０１から撮影指示を示す操作信号を入力したタイミングで、通信制御部１０４ｃは、通信部１１０を介して、上述した周囲装置に関する情報の取得処理を行い、取得した識別情報と強度情報とを用いて、図２に示す周囲装置情報リストを作成してＲＡＭ１０５に格納する。
【０１０８】
画像取得部１０４ａは、撮像素子１０３から出力された画像信号に基づいて画像データを生成して、ＲＡＭ１０５に格納する。ファイル生成部１０４ｂは、ＲＡＭ１０５に格納された画像データを用いて、付加情報を付加情報部に格納したＥｘｉｆ形式の画像ファイルを生成する。このとき、ファイル生成部１０４ｂは、通信制御部１０４ｃにより生成されＲＡＭ１０５に格納された周囲装置情報リストを読み出して、画像ファイルの付加情報部に記録する。そして、ファイル生成部１０４ｂは、生成した画像ファイルをメモリカードスロット１０９を介してメモリカード１０９ａへ記録する。
【０１０９】
図１５に示すフローチャートに基づいて、第３の実施の形態における電子カメラ１００の動作を説明する。図１５の処理を行うプログラムは制御部１０４内の図示しないメモリに格納されており、ユーザのレリーズボタンの全押し操作に応じて入力スイッチ１０１から撮影指示を示す操作信号が入力されると制御部１０４により起動されて、実行される。
【０１１０】
ステップＳ２１０では、図４のステップＳ２０１と同様に撮像素子１０３から被写体像に対応する画像信号を読み出させてステップＳ２１１へ進む。ステップＳ２１１では、図３のフローチャートに示す周囲装置情報リスト作成処理を行ってステップＳ２１２へ進む。ステップＳ２１２（画像処理、圧縮処理）からステップＳ２１４（メモリカードへ記録）までの各処理は、図４のステップＳ２０２（画像処理、圧縮処理）からステップＳ２０４（メモリカードへ記録）までの各処理と同様である。
【０１１１】
第３の実施の形態においては、通信制御部１０４ｃは、被写体像の撮像の指示に応じて識別情報を取得するようにした。そして、ファイル生成部１０４ｂは、撮像の指示に応じて通信制御部１０４ｃにより取得された識別情報を、撮像指示に応じて生成された画像ファイルの付加情報部に記録するようにした。したがって、上述したように、ユーザによる撮影指示が行われた場合にのみ周囲装置情報リスト作成処理を行うので、電子カメラ１００による周囲装置との通信に伴う処理負荷および電力消費量を抑制できる。さらに、撮像の指示に応じて識別情報が取得されるので、被写体となった人物が所持する携帯電話等の周囲装置の識別情報をより確実に画像ファイルに記録できる。
【０１１２】
−第４の実施の形態−
図面を参照して、本発明による第４の実施の形態について説明する。以下の説明では、第１〜第３の実施の形態と同じ構成要素には同じ符号を付して相違点を主に説明する。特に説明しない点については、第１〜第３の実施の形態と同じである。本実施の形態では、再生周囲装置リストに変化があったとしても再生ファイルリストを更新しない点で、第１〜第３の実施の形態と異なる。換言すると、再生モードの際に、電子カメラ１００を操作または閲覧する周囲の人物状況に変化が生じた場合であっても、表示制御部１０４ｅは、再生モードが設定されて最初の再生周囲装置リストが作成された後のみ再生ファイルリストを生成する。このため、第４の実施の形態では、複数の人物の間で同一の画像を回覧して閲覧するような場合に、電子カメラ１００を所持する人物が変わるごとに表示される画像も切り替ることを防ぐことができる。
【０１１３】
図１６に示すフローチャートを用いて、第４の実施の形態の電子カメラ１００における表示処理について説明する。図１６の処理を行う表示プログラムは制御部１０４内の図示しないメモリに格納されており、ユーザの操作に応じて再生モードが設定されると制御部１０４により起動されて、実行される。
【０１１４】
ステップＳ３１０（再生周囲装置リスト作成処理）からステップＳ３１３（コマ送り、コマ戻し処理）までの各処理は、図７のステップＳ３０１（再生周囲装置リスト作成処理）からステップＳ３０４（コマ送り、コマ戻し処理）までの各処理と同様の処理を行う。ステップＳ３１４（終了判定）は図７のステップＳ３０９（終了判定）と同様の処理を行う。すなわち、図７に示すステップＳ３０５（通信周期の判定）からステップＳ３０８（再生周囲装置リストの変化判定）までの処理が行われない。
【０１１５】
第４の実施の形態においては、表示制御部１０４ｅは、再生周囲装置リストに変化があった場合でも再生ファイルリストを変更しない。したがって、再生ファイルリストの生成処理に要する処理負荷を低減できる。さらに、同一の画像を複数の人物で回覧しながら閲覧したい場合に、電子カメラ１００を保持する人物が変わるごとにＬＣＤ１０８に表示される画像が切り替ってしまうという不具合を防げる。
【０１１６】
−第５の実施の形態−
図面を参照して、本発明による第５の実施の形態について説明する。以下の説明では、第１〜第４の実施の形態と同じ構成要素には同じ符号を付して相違点を主に説明する。特に説明しない点については、第１〜第４の実施の形態と同じである。本実施の形態の電子カメラ１００では、ユーザにより周囲装置の検索が指示された場合に、再生周囲装置リストと再生ファイルリストとを更新する点で第１〜第４の実施の形態と異なる。すなわち、本実施の形態の表示制御部１０４ｅは、以下の場合に再生ファイルリストを作成する。
（１）再生モードが設定され、通信制御部１０４ｃにより最初の再生周囲装置リストが作成された後
（２）ユーザによる周囲装置の検索指示に応じて、通信制御部１０４ｃにより再生周囲装置リストが新たに作成された後
なお、第５の実施の形態の電子カメラ１００は、所定の通信周期ごとに周囲装置との間で通信を行って、周囲装置からの信号を受信するものではないものとする。
【０１１７】
表示制御部１０４ｅは、ＬＣＤ１０８に周囲装置の検索を指示するためのメニュー画面を表示する。このメニュー画面上からユーザによる再検索の指示が行われない場合は、読込部１０４ｄは、表示制御部１０４ｅが上記（１）のタイミングで作成した再生ファイルリストに基づいて画像ファイルをメモリカード１０９ａから読み込む。なお、ユーザは、メニュー画面に表示されたコマンド（たとえば「周囲装置の検索  Yes」）を、たとえば決定ボタン等を用いて操作することにより検索を指示する。そして、表示制御部１０４ｅは、読み込まれた画像ファイルの画像データをＬＣＤ駆動回路１０７へ出力して、画像データに対応する画像をＬＣＤ１０８に表示させる。
【０１１８】
ＬＣＤ１０８に表示されたメニュー画面上でユーザによる検索の指示が行われた場合は、通信制御部１０４ｃは、周囲装置に探索要求信号を送信し、受信した信号に基づいて周囲装置情報リストを作成し、新たに再生周囲装置リストを作成する。そして、表示制御部１０４ｅは、新たに作成された再生周囲装置リストと、画像ファイルが有する周囲装置情報リストとに基づいて新たに再生ファイルリストを作成する。以後、読込部１０４ｄは、表示制御部１０４ｅが新たに作成した再生ファイルリストに基づいて画像ファイルをメモリカード１０９ａから読み込む。そして、表示制御部１０４ｅは、読み込まれた画像ファイルの画像データをＬＣＤ駆動回路１０７へ出力して、画像データに対応する画像をＬＣＤ１０８に表示させる。なお、読込部１０４ｄは、次にユーザにより検索指示が行われるまで、新たに作成された再生ファイルリストに基づいて、画像ファイルを読み込む。
【０１１９】
図１７に示すフローチャートを用いて、第５の実施の形態の電子カメラ１００における表示処理について説明する。図１７の処理を行う表示プログラムは制御部１０４内の図示しないメモリに格納されており、ユーザの操作に応じて再生モードが設定されると制御部１０４により起動されて、実行される。
【０１２０】
ステップＳ３２０では、図３のフローチャートに示す各処理を実行して、周囲装置情報リストを作成してステップＳ３２１へ進む。ステップＳ３２１（再生周囲装置リスト作成処理）からステップＳ３２４（コマ送り、コマ戻し処理）までの各処理は、図７のステップＳ３０１（再生周囲装置リスト作成処理）からステップＳ３０４（コマ送り、コマ戻し処理）までの各処理と同様の処理を行う。ステップＳ３２５では、ユーザによる検索指示が行われたか否かを判定する。ユーザによる検索指示が行われた場合は、ステップＳ３２５が肯定判定されてステップＳ３２０へ戻る。ユーザによる検索指示が行われない場合は、ステップＳ３２５が否定判定されてステップＳ３２６へ進む。ステップＳ３２６（終了判定）は図７のステップＳ３０９（終了判定）と同様の処理を行う。
【０１２１】
第５の実施の形態によれば、次の作用効果が得られる。再生モード時に、電子カメラ１００を閲覧する人物の数が増えた場合等、周囲の人物状況に変化があるようなときなど、ユーザが所望するタイミングで周囲装置の検索を行って、再生ファイルリストを新たに作成するので、利便性が向上する。さらに、所定の通信周期で再生周囲装置リストを作成する場合に比べて、周囲装置との通信に要する電力消費を低減できる。
【０１２２】
−変形例１−
図１８に示すように、第１〜第５の実施の形態の電子カメラ１００の通信部１１０が前方アンテナ１１０FWDと後方アンテナ１１０AFTとを備えるようにしてもよい。前方アンテナ１１０FWDは撮影方向、すなわち被写体の存在する方向に指向性を有するアンテナである。後方アンテナ１１０AFTは、再生モードのときにＬＣＤ１０８に画像が表示される方向に指向性を有するアンテナである。この場合、図１８の俯瞰図に示すような位置に前方アンテナ１１０FWDと後方アンテナ１１０AFTが配置されるものとする。
【０１２３】
通信制御部１０４ｃは、撮影モードの場合と再生モードの場合とにおいて、前方アンテナ１１０FWDと後方アンテナ１１０AFTとを切替えて選択する。撮影モードの場合、通信制御部１０４ｃは、前方アンテナ１１０FWDを選択する。そして、通信制御部１０４ｃは、前方アンテナ１１０FWDを介して周囲装置に対して探索要求信号を送信し、周囲装置から探索要求信号に応じた信号を受信する。再生モードの場合、通信制御部１０４ｃは、後方アンテナ１１０AFTを選択する。そして、通信制御部１０４ｃは、後方アンテナ１１０AFTを介して周囲装置に対して探索要求信号を送信し、周囲装置から探索要求信号に応じた信号を受信する。
【０１２４】
図１９のフローチャートを用いて、電子カメラ１００による前方アンテナ１１０FWDおよび後方アンテナ１１０AFTの一方を選択する処理について説明する。図１９の処理を行うプログラムは制御部１０４内の図示しないメモリに格納されており、ユーザの電源ボタンのオン操作に応じて入力スイッチ１０１から電源オン信号が入力されると制御部１０４により起動されて、実行される。
【０１２５】
ステップＳ９０１では、ユーザにより電子カメラ１００の動作が再生モードに設定されているか否かを判定する。再生モードが設定されている場合には、ステップＳ９０１が肯定判定されてステップＳ９０２へ進む。ステップＳ９０２では、後方アンテナ１１０AFTを選択してステップＳ９０４へ進む。撮影モードが設定されている場合には、ステップＳ９０１が否定判定されてステップＳ９０３へ進む。ステップＳ９０３では、前方アンテナ１１０FWDを選択してステップＳ９０４へ進む。
【０１２６】
ステップＳ９０４では、図３に示す周囲装置情報リスト作成処理を行ってステップＳ９０５へ進む。なお、ステップＳ９０２で後方アンテナ１１０AFTが選択された場合は、後方アンテナ１１０AFTを介して探索要求信号の送信、および周囲装置からの信号の受信を行う。ステップＳ９０３で前方アンテナ１１０FWDが選択された場合は、前方アンテナ１１０FWDを介して探索要求信号の送信、および周囲装置からの信号の受信を行う。ステップＳ９０５では電源オフされたか否かを判定する。入力スイッチ１０１から電源オフを指示する信号を入力した場合は、ステップＳ９０５が肯定判定されて処理を終了する。入力スイッチ１０１から電源オフを指示する信号を入力しない場合は、ステップＳ９０５が否定判定されてステップＳ９０１へ戻る。
【０１２７】
変形例１の電子カメラ１００は、撮影モードが設定されている場合には、前方アンテナ１１０FWDの指向性により、撮影者や、電子カメラ１００の近傍に位置するが被写体とはなっていない人物が所持している携帯電話等の周囲装置と情報の送受信を行わない。その結果、被写体となっていない人物が所持する携帯電話等の周囲装置の識別情報が画像ファイルに記録されることを防げる。また、電子カメラ１００は、再生モードが設定されている場合には、後方アンテナ１１０AFTの指向性により、電子カメラ１００のＬＣＤ１０８に表示される画像を閲覧しようとする人物が所持する携帯電話等の周囲装置以外の周囲装置と情報の送受信を行わない。その結果、画像を閲覧しようとする人物とは異なる人物が所持する携帯電話等の周囲装置の識別情報や、電子カメラ１００の近傍に配置される閲覧者とは無関係な周囲装置の識別情報に起因して、閲覧者が所望する画像とは異なる画像が表示されることが防げる。
【０１２８】
−変形例２−
電子カメラ１００の通信制御部１０４ｃは、撮影モードの時に、周囲装置に関する情報に含まれる種類情報の大分類が「Phone」以外の周囲装置の識別情報と強度情報とについても周囲装置情報リストに記録してもよい。そして、ファイル生成部１０４ｂは、種類情報の大分類が「Phone」以外の周囲装置の識別情報と強度情報とを含む周囲装置情報リストを画像ファイルの付加情報部に記録する。そして、再生モードが設定されると、表示制御部１０４ｅが、種類情報の大分類が「Phone」以外の周囲装置に対応する識別情報を含む画像ファイル除外して、再生ファイルリストを作成すればよい。換言すると、表示制御部１０４ｅは、特定の種類情報として大分類が「Phone」である周囲装置の識別情報と関連付けされた画像ファイルを選択すればよい。
【０１２９】
−変形例３−
通信制御部１０４ｃは、撮影モードの時に、通信部１１０を介して受信された信号の受信信号強度がしきい値より強い信号を送信した周囲装置の識別情報と、強度情報とを用いて周囲装置情報リストを作成してもよい。そして、ファイル生成部１０４ｂは、受信信号強度がしきい値より強い信号を送信した周囲装置の識別情報と、強度情報とが記録された周囲装置情報リストを画像ファイルの付加情報部に記録する。すなわち、ファイル生成部１０４ｂは、撮影に連動して取得された識別情報のうち、受信信号強度がしきい値よりも強い信号に含まれる識別情報を画像ファイルの付加情報部に記録する。
【０１３０】
そして、再生モードが設定されると、表示制御部１０４ｅは、通信制御部１０４ｃにより作成された周囲装置情報リストに記録された識別情報に合致する識別情報が記録された画像ファイルのフォルダ番号とファイル番号とを再生ファイルリストに記録すればよい。換言すると、表示制御部１０４ｅは、受信信号強度がしきい値よりも強い信号であることを示す強度情報が記録された画像ファイルであって、通信部１１０により取得された識別情報が記録された画像ファイルを選択する。
【０１３１】
なお、受信信号強度のしきい値は、周囲装置が近傍に存在することを判定するために適切な値として試験等により得られた値が設定され、図示しないメモリ等に記録されているものとする。または、受信信号強度のしきい値をユーザにより設定可能としてもよい。この場合、ユーザは、操作部材を操作してＬＣＤ１０８に表示されたメニュー画面からしきい値を設定すればよい。
【０１３２】
−変形例４−
通信制御部１０４ｃは、最も強い受信信号強度で信号を送信した周囲装置の識別情報を再生周囲装置リストに記録するようにしてもよい。この場合、通信制御部１０４ｃは、ＲＡＭ１０５に格納した受信信号強度がしきい値より強い強度情報に対応する周囲装置の識別情報のうち、受信信号強度が最も強い強度情報に対応する周囲装置の識別情報を選択して再生周囲装置リストに記録する。そして、表示制御部１０４ｅは、画像ファイルが有する周囲装置情報リストと、受信信号強度が最も強い強度情報に対応する周囲装置の識別情報が記録された再生周囲装置リストとに基づいて再生ファイルリストを作成する。その結果、表示制御部１０４ｅは、通信制御部１０４ｃを介して取得された識別情報のうち、最も受信信号強度が強い識別情報と関連付けされた画像ファイルを選択する。この場合、図８に示すフローチャートにおいて、通信制御部１０４ｃは、ステップＳ４０４が肯定判定された後に、上述したようにＲＡＭ１０５に格納された識別情報のうち、受信信号強度が最も強い強度情報に対応する周囲装置の識別情報を選択する。そして、ステップＳ４０５へ進み、選択した識別情報を用いて再生周囲装置リストを作成すればよい。
【０１３３】
−変形例５−
ファイル生成部１０４ｂは、人物の顔が含まれる画像に対応する画像ファイルの付加情報部に周囲装置情報リストを記録するようにしてもよい。この場合、図１のブロック図に示す顔検出部１０４ｇは、撮像素子１０３により出力された画像信号に基づいて画像生成部１０４ａにより生成された画像データに対して、公知の顔検出処理を行う。すなわち、顔検出部１０４ｇは、画像データに含まれる肌色領域（顔画像データ）を検出する。
【０１３４】
顔検出部１０４ｇにより顔画像データが検出された場合は、ファイル生成部１０４ｂは、顔画像データが検出された画像データに対応する画像ファイルの付加情報部に周囲装置情報リストを記録する。顔画像データが検出されない場合は、ファイル生成部１０４ｂは、生成した画像ファイルの付加情報部に周囲装置情報リストを記録しない。なお、顔検出部１０４ｇが公知の顔認識処理を実行可能に構成してもよい。この場合は、顔検出部１０４ｇは検出した顔画像データのうち、たとえば人物の顔が笑顔か否かを判定する。そして、ファイル生成部１０４ｂは、顔検出部１０４ｇにより笑顔が検出された画像データに対応する画像ファイルのみを対象として、その付加情報部に周囲装置情報リストを記録する。
【０１３５】
さらに、表示制御部１０４ｅは、再生ファイルリストを作成する際、人物の顔が含まれる画像に対応する画像ファイルのみのフォルダ番号とファイル番号とを再生ファイルリストに記録してもよい。この場合、顔検出部１０４ｇは、再生周囲装置リストに含まれる識別情報と合致する識別情報が記録された周囲装置情報リストを有する画像ファイルの画像データに対して、公知の顔検出処理を行う。顔検出部１０４ｇにより顔画像データが検出された場合は、表示制御部１０４ｅは、顔画像データが検出された画像データに対応する画像ファイルのフォルダ番号とファイル番号とを再生ファイルリストに記録する。顔画像データが検出されない場合は、表示制御部１０４ｅは、その画像データに対応する画像ファイルのフォルダ番号とファイル番号とを再生ファイルリストに記録しない。その結果、表示制御部１０４ｅは、再生モードの場合に、顔画像データが検出された画像データをＬＣＤ駆動回路１０７へ出力して、ＬＣＤ１０８に人物の顔が撮影された画像のみを表示させることができる。
【０１３６】
−変形例６−
以上で説明した第１〜第５の実施の形態、変形例２〜変形例５においては、電子カメラ１００において表示処理を行うものとして説明したが、電子カメラ１００で生成され、メモリカード１０９ａに記録された画像ファイルに対して、外部の画像表示装置が表示処理を行ってもよい。なお、画像表示装置は、画像ファイルが生成されたとき（画像撮影時）に電子カメラ１００の近傍に存在した周囲装置が、上記の画像ファイルの画像を表示する際に画像表示装置の近傍に存在する場合に、画像ファイルに対応する画像を表示することができる。
【０１３７】
図２０は、画像表示装置２００を示す概略制御ブロック図である。なお、画像表示装置２００は、画像を表示するためのディスプレイが一体となった、たとえば携帯電話、ＰＤＡ、パーソナルコンピュータ、フォトビューア等の情報表示装置でもよいし、たとえばＨＤＤレコーダのようにディスプレイが着脱可能に構成されている装置でもよい。変形例６においては、画像表示装置２００としてパーソナルコンピュータを例として説明する。画像表示装置２００は、制御部２０１、記憶部２０２、メモリカードインタフェース２０３、マウスやキーボード等により構成される操作部２０４、モニタ２０５、通信部２０６、メモリ２０７およびモニタ用インタフェース２０８を有する。記憶部２０２は電子カメラ１００で生成された画像ファイル等を記録するための、たとえばフラッシュメモリ等の不揮発性記憶媒体である。メモリ２０７は、各種の処理の途中や処理後のデータを一時的に格納するバッファメモリとして使用される揮発性記憶媒体である。
【０１３８】
通信部２０６は、たとえばアンテナや通信回路等を備える無線通信装置であり、電子カメラ１００の通信部１１０と同様に、外部の周囲装置との間で、たとえばBluetooth等の近距離無線通信技術を用いて各種情報の送受信を行う。通信部２０６は、後述する制御部２０１から所定の通信周期ごとに通信を指示する信号を入力すると、外部の周囲装置との間で各種情報の送受信を行う。
【０１３９】
制御部２０１は、各ブロックから出力される信号を入力して所定の演算を行い、演算結果に基づく制御信号を各ブロックへ出力する。制御部２０１は、読込部２０１ａ、通信制御部２０１ｂおよび表示制御部２０１ｃを機能的に備える。読込部２０１ａは、電子カメラ１００の読込部１０４ｄと同様の処理を行う。すなわち、読込部２０１ａは、再生ファイルリストに基づいて、メモリカード１０９ａに記録された画像ファイルを読み込んで、メモリ２０７に格納する。通信制御部２０１ｂは、電子カメラ１００の通信制御部１０４ｃと同様の処理を行う。すなわち、通信制御部２０１ｂは、通信部２０６を介して受信した周囲装置からの信号に基づいて周囲装置情報リストおよび再生周囲装置リストを作成する。
【０１４０】
表示制御部２０１ｃは、電子カメラ１００の表示制御部１０４ｅと同様の処理を行う。すなわち、表示制御部２０１ｃは、通信制御部２０１ｂにより作成された再生周囲装置リストと、画像ファイルの付加情報部に記録された周囲装置情報リストとに基づいて、再生ファイルリストを作成する。表示制御部２０１ｃは、再生ファイルリストに基づいて選択した画像ファイルを読込部２０１ａに読み込ませる。そして、表示制御部２０１ｃは、読み込まれた画像ファイルの画像データをモニタ用インタフェース２０８へ出力し、外部のモニタ２０５に画像を表示させる。また、表示制御部２０１ｃは、第２の実施の形態における電子カメラ１００の表示制御部１０４ｅと同様に、非表示人物所持装置リストの作成処理を行うようにしてもよい。
【０１４１】
なお、画像表示装置２００により画像ファイルに対応する画像を表示する場合、ユーザにより画像表示ソフトを起動して実行する。この画像表示ソフトは、画像表示装置２００の制御部２０１内の不図示メモリに記録されている。ユーザが操作部２０４を操作して画像表示ソフトの起動が指示されると、制御部２０１は画像表示ソフトを起動して、画像をモニタ２０５に表示させるものとする。
【０１４２】
さらに、画像表示装置２００の表示制御部２０１ｃは、再生ファイルリストを作成する際、人物の顔が含まれる画像に対応する画像ファイルのみのフォルダ番号とファイル番号とを再生ファイルリストに記録してもよい。この場合、図２１のブロック図に示すように、制御部２０１はさらに顔検出部２０１ｅを機能的に備える。顔検出部２０１ｅは、再生周囲装置リストに含まれる識別情報と合致する識別情報が記録された周囲装置情報リストを有する画像ファイルの画像データに対して、公知の顔検出処理を行う。すなわち、顔検出部２０１ｅは、画像データに含まれる肌色領域（顔画像データ）を検出する。
【０１４３】
顔検出部２０１ｅにより顔画像データが検出された場合は、表示制御部２０１ｃは、顔画像データが検出された画像データに対応する画像ファイルのフォルダ番号とファイル番号とを再生ファイルリストに記録する。顔画像データが検出されない場合は、表示制御部２０１ｃは、画像データに対応する画像ファイルのフォルダ番号とファイル番号とを再生ファイルリストに記録しない。なお、顔検出部２０１ｅが公知の顔認識処理を実行可能に構成してもよい。この場合は、顔検出部２０１ｅは検出した顔画像データのうち、たとえば人物の顔が笑顔か否かを判定する。そして、表示制御部２０１ｃは、顔検出部２０１ｅにより笑顔が検出された画像に対応する画像ファイルのみのフォルダ番号とファイル番号とを再生ファイルリストに記録する。
【０１４４】
−変形例７−
通信部１１０、２０６はBluetooth等による無線通信方式に限定されない。無線ＬＡＮや、RF-ID（Radio Frequency Identification）等の近距離無線通信技術を用いるものであればよい。通信部１１０、２０６としてRF-IDを用いる場合は、周囲装置の通信部を、電子カメラ１００の通信部１１０、または画像表示装置２００の通信部２０６の近辺にかざすことにより、各種の情報を送受信する。
【０１４５】
−変形例８−
特定の種類情報をユーザにより選択可能に構成するものでもよい。この場合、種類情報の大分類が「Phone」に含まれる小分類のうち、たとえば「Cell Phone」と「Smart Phone」とのいずれかがユーザにより選択可能とする。そして、ユーザは、ＬＣＤ１０８に表示されたメニュー画面から十字キー等を操作して「Cell Phone」と「Smart Phone」を選択すればよい。そして、通信制御部１０４ｃは、ユーザによる選択操作に応じて入力スイッチ１０１から入力した信号に基づいて、ユーザにより選択された種類情報を特定の種類情報として設定すればよい。
【０１４６】
−変形例９−
ファイル生成部１０４ｂは、画像ファイルの付加情報部に周囲装置情報リストを記録するものに代えて、画像ファイルと周囲装置情報リストとを関連付けてメモリカード１０９ａに記録してもよい。この場合、ファイル生成部１０４ｂは、メモリカード１０９ａの記録領域内に設けた専用のフォルダに周囲装置情報リストを記録する。そして、ファイル生成部１０４ｂは、周囲装置情報リストと画像ファイルとの対応関係を示す管理テーブルを作成してメモリカード１０９ａに記録すればよい。
【０１４７】
−変形例１０−
表示制御部１０４ｅ、２０１ｃが再生ファイルリストに記録された画像ファイルを選択するものに代えて、再生ファイルリストに記録された画像ファイルを除外するようにしてもよい。この場合、表示制御部１０４ｅ、２０１ｃは、メモリカード１０９ａに記録された画像ファイルのうち、再生ファイルリストに記録された画像ファイル以外の画像ファイルを選択する。
【０１４８】
−変形例１１−
表示制御部１０４ｅは、周囲装置情報リストに含まれる強度情報のうちのしきい値以上の強度情報と関連付けされた識別情報を用いて、再生ファイルリストを作成するようにしてもよい。この場合、表示制御部１０４ｅは、第１の実施の形態の場合と同様にして、再生周囲装置リストの識別情報に合致する識別情報を含む画像ファイルを検出する。次に、表示制御部１０４ｅは、検出した画像ファイルの周囲装置情報リストを参照し、再生周囲装置リストの識別情報に合致した識別情報と関連付けられている強度情報を読み出す。再生周囲装置リストの識別情報に合致する識別情報が複数存在する場合には、表示制御部１０４ｅは、それら全ての識別情報のそれぞれに関連付けられている強度情報を読み出す。
【０１４９】
表示制御部１０４ｅは、読み出した強度情報の少なくとも１つがしきい値以上の場合は、その強度情報を含む周囲装置情報リストが記録された画像ファイルのフォルダ番号とファイル番号とを再生ファイルリストに登録する。読み出した強度情報の何れもがしきい値未満の場合は、表示制御部１０４ｅは、その強度情報を含む周囲装置情報リストが記録された画像ファイルのファイル番号とフォルダ番号とを再生ファイルリストに登録しない。この結果、画像を閲覧している人物が撮影時にカメラから遠く離れていたために画像上では小さな被写体として写っているような場合には、そのような画像を除外してＬＣＤ１０８に表示できる。
【０１５０】
また、本発明の特徴を損なわない限り、本発明は上記実施の形態に限定されるものではなく、本発明の技術的思想の範囲内で考えられるその他の形態についても、本発明の範囲内に含まれる。説明に用いた実施の形態および変形例は、それぞれを適宜組合わせて構成しても構わない。
【符号の説明】
【０１５１】
１００・・・電子カメラ、１０１・・・入力スイッチ、
１０３・・・撮像素子、１０４・・・制御部、
１０４ａ・・・画像取得部、１０４ｂ・・・ファイル生成部、
１０４ｃ・・・通信制御部、１０４ｄ・・・読込部、
１０４ｅ・・・表示制御部、１０４ｇ・・・顔検出部、
１０８・・・ＬＣＤ、１０９ａ・・・メモリカード、
１１０・・・通信部、１１０FWD・・・前方アンテナ、
１１０AFT・・・後方アンテナ、２００・・・画像表示装置、
２０１・・・制御部、２０１ａ・・・読込部、
２０１ｂ・・・通信制御部、２０１ｃ・・・表示制御部、
２０１ｅ・・・顔検出部、２０４・・・操作部、
２０５・・・モニタ、２０６・・・通信部
【図１】
0005564897.tif 000002
【図２】
0005564897.tif 000003
【図３】
0005564897.tif 000004
【図４】
0005564897.tif 000005
【図５】
0005564897.tif 000006
【図６】
0005564897.tif 000007
【図７】
0005564897.tif 000008
【図８】
0005564897.tif 000009
【図９】
0005564897.tif 000010
【図１０】
0005564897.tif 000011
【図１１】
0005564897.tif 000012
【図１２】
0005564897.tif 000013
【図１３】
0005564897.tif 000014
【図１４】
0005564897.tif 000015
【図１５】
0005564897.tif 000016
【図１６】
0005564897.tif 000017
【図１７】
0005564897.tif 000018
【図１８】
0005564897.tif 000019
【図１９】
0005564897.tif 000020
【図２０】
0005564897.tif 000021
【図２１】
0005564897.tif 000022
【図２２】
0005564897.tif 000023